(57)【特許請求の範囲】
【請求項１】
第一空間と第二空間とを連通する流路と、
前記第一空間の空気を前記流路に導入し、前記流路に導入された空気を前記第二空間に導出する送風部と、
前記流路に配設され、前記流路に導入された空気の加湿または除湿を行う調湿部と、
前記調湿部と電気的に接続され、前記調湿部の通電を行う通電部と、
前記送風部を少なくとも制御する制御部と、を備えた調湿装置であって、
前記調湿部は、非通電状態である場合、前記流路に導入された空気の水分を吸着し、通電状態である場合、前記非通電状態であるときに吸着した前記水分を前記流路に導入された空気に放出する導電性高分子材料を用いて形成され、
前記制御部は、
前記送風部によって前記第一空間の空気を前記流路に導入し、かつ、前記通電部によって前記調湿部を前記通電状態にして、前記流路に導入された空気に対して前記調湿部に吸着している水分を放出させることにより、前記流路に導入された空気の前記加湿を行うとともに、前記加湿をされた空気を前記送風部によって前記第二空間に導出する加湿モードを有する加湿制御部と、
前記送風部によって前記第一空間の空気を前記流路に導入し、かつ、前記通電部によって前記調湿部を前記非通電状態にして、前記流路に導入された空気の水分を前記調湿部に吸着させることにより、前記流路に導入された空気の前記除湿を行うとともに、前記除湿をされた空気を前記送風部によって前記第二空間に導出する除湿モードを有する除湿制御部と、を備え、
前記調湿部は、前記水分を吸着するとき、および、前記通電状態であるときに生じる熱を前記流路に導入された空気に放出し、
前記調湿装置は、前記流路に配設され、前記流路に導入された空気に放出された前記熱を吸収する熱交換部をさらに備え、
前記熱交換部は、前記流路に導入された空気に放出された前記熱を蓄える潜熱蓄熱材によって形成されている調湿装置。
【請求項２】
第一空間と第二空間とを連通する流路と、
前記第一空間の空気を前記流路に導入し、前記流路に導入された空気を前記第二空間に導出する送風部と、
前記流路に配設され、前記流路に導入された空気の加湿または除湿を行う調湿部と、
前記調湿部と電気的に接続され、前記調湿部の通電を行う通電部と、
前記送風部を少なくとも制御する制御部と、を備えた調湿装置であって、
前記調湿部は、非通電状態である場合、前記流路に導入された空気の水分を吸着し、通電状態である場合、前記非通電状態であるときに吸着した前記水分を前記流路に導入された空気に放出する導電性高分子材料を用いて形成され、
前記制御部は、
前記送風部によって前記第一空間の空気を前記流路に導入し、かつ、前記通電部によって前記調湿部を前記通電状態にして、前記流路に導入された空気に対して前記調湿部に吸着している水分を放出させることにより、前記流路に導入された空気の前記加湿を行うとともに、前記加湿をされた空気を前記送風部によって前記第二空間に導出する加湿モードを有する加湿制御部と、
前記送風部によって前記第一空間の空気を前記流路に導入し、かつ、前記通電部によって前記調湿部を前記非通電状態にして、前記流路に導入された空気の水分を前記調湿部に吸着させることにより、前記流路に導入された空気の前記除湿を行うとともに、前記除湿をされた空気を前記送風部によって前記第二空間に導出する除湿モードを有する除湿制御部と、を備え、
前記調湿部は、前記導電性高分子材料を用いて、複数の凸形状を有するように形成されたフィルムによって構成されている調湿装置。
【請求項３】
第一空間と第二空間とを連通する流路と、
前記第一空間の空気を前記流路に導入し、前記流路に導入された空気を前記第二空間に導出する送風部と、
前記流路に配設され、前記流路に導入された空気の加湿または除湿を行う調湿部と、
前記調湿部と電気的に接続され、前記調湿部の通電を行う通電部と、
前記送風部を少なくとも制御する制御部と、を備えた調湿装置であって、
前記調湿部は、非通電状態である場合、前記流路に導入された空気の水分を吸着し、通電状態である場合、前記非通電状態であるときに吸着した前記水分を前記流路に導入された空気に放出する導電性高分子材料を用いて形成され、
前記制御部は、
前記送風部によって前記第一空間の空気を前記流路に導入し、かつ、前記通電部によって前記調湿部を前記通電状態にして、前記流路に導入された空気に対して前記調湿部に吸着している水分を放出させることにより、前記流路に導入された空気の前記加湿を行うとともに、前記加湿をされた空気を前記送風部によって前記第二空間に導出する加湿モードを有する加湿制御部と、
前記送風部によって前記第一空間の空気を前記流路に導入し、かつ、前記通電部によって前記調湿部を前記非通電状態にして、前記流路に導入された空気の水分を前記調湿部に吸着させることにより、前記流路に導入された空気の前記除湿を行うとともに、前記除湿をされた空気を前記送風部によって前記第二空間に導出する除湿モードを有する除湿制御部と、を備え、
前記送風部は、放電することにより生成されるイオン風によって、前記第一空間の空気を前記流路に導入し、前記流路に導入された空気を前記第二空間に導出する第二放電部を備えている調湿装置。
【請求項４】
第一空間と第二空間とを連通する流路と、
前記第一空間の空気を前記流路に導入し、前記流路に導入された空気を前記第二空間に導出する送風部と、
前記流路に配設され、前記流路に導入された空気の加湿または除湿を行う調湿部と、
前記調湿部と電気的に接続され、前記調湿部の通電を行う通電部と、
前記送風部を少なくとも制御する制御部と、を備えた調湿装置であって、
前記調湿部は、非通電状態である場合、前記流路に導入された空気の水分を吸着し、通電状態である場合、前記非通電状態であるときに吸着した前記水分を前記流路に導入された空気に放出する導電性高分子材料を用いて形成され、
前記制御部は、
前記送風部によって前記第一空間の空気を前記流路に導入し、かつ、前記通電部によって前記調湿部を前記通電状態にして、前記流路に導入された空気に対して前記調湿部に吸着している水分を放出させることにより、前記流路に導入された空気の前記加湿を行うとともに、前記加湿をされた空気を前記送風部によって前記第二空間に導出する加湿モードを有する加湿制御部と、
前記送風部によって前記第一空間の空気を前記流路に導入し、かつ、前記通電部によって前記調湿部を前記非通電状態にして、前記流路に導入された空気の水分を前記調湿部に吸着させることにより、前記流路に導入された空気の前記除湿を行うとともに、前記除湿をされた空気を前記送風部によって前記第二空間に導出する除湿モードを有する除湿制御部と、を備え、
前記制御部は、前記通電部によって前記調湿部の通電量を調整することにより、前記調湿部の温度を、前記流路に導入された空気に含まれる雑菌、ウイルスおよび花粉のうち少なくとも何れか一つが死滅する所定温度以上となるように調節する温度調節部をさらに備えている調湿装置。
【請求項５】
第一空間と第二空間とを連通する流路と、
前記第一空間の空気を前記流路に導入し、前記流路に導入された空気を前記第二空間に導出する送風部と、
前記流路に配設され、前記流路に導入された空気の加湿または除湿を行う調湿部と、
前記調湿部と電気的に接続され、前記調湿部の通電を行う通電部と、
前記送風部を少なくとも制御する制御部と、を備えた調湿装置であって、
前記調湿部は、非通電状態である場合、前記流路に導入された空気の水分を吸着し、通電状態である場合、前記非通電状態であるときに吸着した前記水分を前記流路に導入された空気に放出する導電性高分子材料を用いて形成され、
前記制御部は、
前記送風部によって前記第一空間の空気を前記流路に導入し、かつ、前記通電部によって前記調湿部を前記通電状態にして、前記流路に導入された空気に対して前記調湿部に吸着している水分を放出させることにより、前記流路に導入された空気の前記加湿を行うとともに、前記加湿をされた空気を前記送風部によって前記第二空間に導出する加湿モードを有する加湿制御部と、
前記送風部によって前記第一空間の空気を前記流路に導入し、かつ、前記通電部によって前記調湿部を前記非通電状態にして、前記流路に導入された空気の水分を前記調湿部に吸着させることにより、前記流路に導入された空気の前記除湿を行うとともに、前記除湿をされた空気を前記送風部によって前記第二空間に導出する除湿モードを有する除湿制御部と、を備え、
前記流路は、前記流路と前記第一空間とを連通する第一連通部と、前記流路と前記第二空間とを連通する第二連通部と、前記第二連通部と前記調湿部との間にて前記流路と第三空間とを連通する第三連通部と、をさらに備え、
前記調湿装置は、前記第二連通部に配設され、前記流路内の圧力値に応じて前記第二連通部を連通状態または遮断状態にする第一遮断部と、前記第三連通部に配設され、前記流路内の圧力値に応じて前記第三連通部を連通状態または遮断状態にする第二遮断部と、をさらに備え、
前記加湿制御部は、
前記加湿モードにおいて、前記送風部の駆動量を調整することにより、前記流路内の圧力値を、前記第二連通部を連通状態かつ前記第三連通部を遮断状態にする前記流路内の圧力値である第一圧力値にして前記第一空間の空気を前記流路に導入し、
前記送風部の駆動量を調整することにより、前記流路内の圧力値を、前記第二連通部を遮断状態かつ前記第三連通部を連通状態にする前記流路内の圧力値である第二圧力値にして、前記第一空間の空気および前記第三空間の空気の一方を前記流路に導入し、かつ、前記通電部によって前記調湿部を前記非通電状態にして、前記流路に導入された空気の水分を前記調湿部に吸着させて前記加湿を行うための準備を行う加湿準備モードをさらに備え、
前記除湿制御部は、
前記除湿モードにおいて、前記送風部の駆動量を調整することにより、前記流路内の圧力値を前記第一圧力値にして、前記第一空間の空気を前記流路に導入し、
前記送風部の駆動量を調整することにより、前記流路内の圧力値を前記第二圧力値にして、前記第一空間の空気および前記第三空間の空気の一方を前記流路に導入し、かつ、前記通電部によって前記調湿部を前記通電状態にして、前記調湿部に吸着している水分を前記流路に導入された空気に放出させて前記除湿を行うための準備を行う除湿準備モードをさらに備えている調湿装置。
【請求項６】
第一空間と第二空間とを連通する流路と、
前記第一空間の空気を前記流路に導入し、前記流路に導入された空気を前記第二空間に導出する送風部と、
前記流路に配設され、前記流路に導入された空気の加湿または除湿を行う調湿部と、
前記調湿部と電気的に接続され、前記調湿部の通電を行う通電部と、
前記送風部を少なくとも制御する制御部と、を備えた調湿装置であって、
前記調湿部は、非通電状態である場合、前記流路に導入された空気の水分を吸着し、通電状態である場合、前記非通電状態であるときに吸着した前記水分を前記流路に導入された空気に放出する導電性高分子材料を用いて形成され、
前記制御部は、
前記送風部によって前記第一空間の空気を前記流路に導入し、かつ、前記通電部によって前記調湿部を前記通電状態にして、前記流路に導入された空気に対して前記調湿部に吸着している水分を放出させることにより、前記流路に導入された空気の前記加湿を行うとともに、前記加湿をされた空気を前記送風部によって前記第二空間に導出する加湿モードを有する加湿制御部と、
前記送風部によって前記第一空間の空気を前記流路に導入し、かつ、前記通電部によって前記調湿部を前記非通電状態にして、前記流路に導入された空気の水分を前記調湿部に吸着させることにより、前記流路に導入された空気の前記除湿を行うとともに、前記除湿をされた空気を前記送風部によって前記第二空間に導出する除湿モードを有する除湿制御部と、を備え、
前記制御部は、前記第二空間に導出される空気の目標湿度を設定する目標湿度設定部をさらに備え、
前記加湿制御部は、前記第二空間に導出される前記加湿をされた空気の湿度を、前記目標湿度設定部によって設定された前記目標湿度とするように、前記送風部の駆動量および前記調湿部の通電量の少なくとも一方を調整することによって、前記流路に導入された空気の量に対する前記流路に導入された空気に放出される水分の量を調節する第一水分量調整部を備え、
前記除湿制御部は、前記第二空間に導出される前記除湿をされた空気の湿度を、前記目標湿度設定部によって設定された前記目標湿度とするように、前記送風部の駆動量を調整することによって、前記流路に導入された空気の量に対する前記調湿部に吸着する前記流路に導入された空気の水分の量を調整する第二水分量調整部を備えている調湿装置。
【請求項７】
前記調湿装置は、使用者の睡眠情報を検出する睡眠情報検出部をさらに備え、
前記目標湿度設定部は、前記睡眠情報検出部によって検出された前記睡眠情報に基づいて、前記目標湿度を設定する請求項６記載の調湿装置。
【請求項８】
前記調湿装置は、使用者の肌情報を検出する肌情報検出部をさらに備え、
前記目標湿度設定部は、前記肌情報検出部によって検出された前記肌情報に基づいて、前記目標湿度を設定する請求項６記載の調湿装置。
【請求項９】
前記調湿装置は、使用者の呼吸情報を検出する呼吸情報検出部をさらに備え、
前記目標湿度設定部は、前記呼吸情報検出部によって検出された前記呼吸情報に基づいて、前記目標湿度を設定する請求項６記載の調湿装置。
【請求項１０】
第一空間と第二空間とを連通する流路と、
前記第一空間の空気を前記流路に導入し、前記流路に導入された空気を前記第二空間に導出する送風部と、
前記流路に配設され、前記流路に導入された空気の加湿または除湿を行う調湿部と、
前記調湿部と電気的に接続され、前記調湿部の通電を行う通電部と、
前記送風部を少なくとも制御する制御部と、を備えた調湿装置であって、
前記調湿部は、非通電状態である場合、前記流路に導入された空気の水分を吸着し、通電状態である場合、前記非通電状態であるときに吸着した前記水分を前記流路に導入された空気に放出する導電性高分子材料を用いて形成され、
前記制御部は、
前記送風部によって前記第一空間の空気を前記流路に導入し、かつ、前記通電部によって前記調湿部を前記通電状態にして、前記流路に導入された空気に対して前記調湿部に吸着している水分を放出させることにより、前記流路に導入された空気の前記加湿を行うとともに、前記加湿をされた空気を前記送風部によって前記第二空間に導出する加湿モードを有する加湿制御部と、
前記送風部によって前記第一空間の空気を前記流路に導入し、かつ、前記通電部によって前記調湿部を前記非通電状態にして、前記流路に導入された空気の水分を前記調湿部に吸着させることにより、前記流路に導入された空気の前記除湿を行うとともに、前記除湿をされた空気を前記送風部によって前記第二空間に導出する除湿モードを有する除湿制御部と、を備え、
前記調湿装置は、使用者の呼吸状態のうち前記使用者が息を吸っている状態である吸気状態および前記使用者が息を吐いている状態である呼気状態を検出する呼吸状態検出部をさらに備え、
前記加湿制御部は、前記呼吸状態検出部によって前記使用者が前記吸気状態であると検出された場合、前記加湿をされた空気を前記第二空間に導出し、前記呼吸状態検出部によって前記使用者が前記呼気状態であると検出された場合、前記加湿をされた空気を前記第二空間に導出することを制限するように、前記加湿をされた空気を導出するタイミングを制御する導出タイミング制御部をさらに備えている調湿装置。
【請求項１１】
第一空間と第二空間とを連通する流路と、
前記第一空間の空気を前記流路に導入し、前記流路に導入された空気を前記第二空間に導出する送風部と、
前記流路に配設され、前記流路に導入された空気の加湿または除湿を行う調湿部と、
前記調湿部と電気的に接続され、前記調湿部の通電を行う通電部と、
前記送風部を少なくとも制御する制御部と、を備えた調湿装置であって、
前記調湿部は、非通電状態である場合、前記流路に導入された空気の水分を吸着し、通電状態である場合、前記非通電状態であるときに吸着した前記水分を前記流路に導入された空気に放出する導電性高分子材料を用いて形成され、
前記制御部は、
前記送風部によって前記第一空間の空気を前記流路に導入し、かつ、前記通電部によって前記調湿部を前記通電状態にして、前記流路に導入された空気に対して前記調湿部に吸着している水分を放出させることにより、前記流路に導入された空気の前記加湿を行うとともに、前記加湿をされた空気を前記送風部によって前記第二空間に導出する加湿モードを有する加湿制御部と、
前記送風部によって前記第一空間の空気を前記流路に導入し、かつ、前記通電部によって前記調湿部を前記非通電状態にして、前記流路に導入された空気の水分を前記調湿部に吸着させることにより、前記流路に導入された空気の前記除湿を行うとともに、前記除湿をされた空気を前記送風部によって前記第二空間に導出する除湿モードを有する除湿制御部と、を備え、
前記調湿装置は、使用者の頭部の位置を検出する頭部位置検出部と、前記第二空間に導出される空気の方向を調整する導出方向調整部と、をさらに備え、
前記制御部は、前記導出方向調整部によって前記第二空間に導出される空気の方向を、前記頭部位置検出部によって検出された前記使用者の前記頭部に向かう方向とするように調節する導出方向制御部をさらに備えている調湿装置。
【請求項１２】
第一空間と第二空間とを連通する流路と、
前記第一空間の空気を前記流路に導入し、前記流路に導入された空気を前記第二空間に導出する送風部と、
前記流路に配設され、前記流路に導入された空気の加湿または除湿を行う調湿部と、
前記調湿部と電気的に接続され、前記調湿部の通電を行う通電部と、
前記送風部を少なくとも制御する制御部と、を備えた調湿装置であって、
前記調湿部は、非通電状態である場合、前記流路に導入された空気の水分を吸着し、通電状態である場合、前記非通電状態であるときに吸着した前記水分を前記流路に導入された空気に放出する導電性高分子材料を用いて形成され、
前記制御部は、
前記送風部によって前記第一空間の空気を前記流路に導入し、かつ、前記通電部によって前記調湿部を前記通電状態にして、前記流路に導入された空気に対して前記調湿部に吸着している水分を放出させることにより、前記流路に導入された空気の前記加湿を行うとともに、前記加湿をされた空気を前記送風部によって前記第二空間に導出する加湿モードを有する加湿制御部と、
前記送風部によって前記第一空間の空気を前記流路に導入し、かつ、前記通電部によって前記調湿部を前記非通電状態にして、前記流路に導入された空気の水分を前記調湿部に吸着させることにより、前記流路に導入された空気の前記除湿を行うとともに、前記除湿をされた空気を前記送風部によって前記第二空間に導出する除湿モードを有する除湿制御部と、を備え、
前記調湿装置は、使用者の目を覆う被覆部をさらに備え、
前記第二空間は、前記被覆部内側の空間である調湿装置。
【請求項１３】
前記調湿装置は、前記流路に配設され、放電することにより前記流路に導入された空気からオゾンを生成する第一放電部をさらに備えている請求項１〜１２の何れか一項に記載の調湿装置。
【請求項１４】
前記調湿装置は、前記流路に配設され、芳香成分、除菌成分、消臭成分および美容成分のうち何れか一つまたは複数の成分を前記流路に導入された空気に供給する成分供給部をさらに備えている請求項１〜１２の何れか一項に記載の調湿装置。
【発明の詳細な説明】
【技術分野】
【０００１】
本発明は、調湿装置に関する。
【背景技術】
【０００２】
調湿装置の一形式として、特許文献１に示されているものが知られている。特許文献１の図１に示されているように、除加湿装置１００は、送風機２および送風機２によって送風される空気を加湿または除湿する吸着モジュール３を備えている。吸着モジュール３は、ペルチェ素子３０および吸着素子３１によって構成されている。吸着素子３１は、ペルチェ素子３０によって冷却されることにより、水分を吸着する吸着量が増加する。これにより、吸着素子３１が空気中の水分を吸着するため、空気が除湿される。一方、吸着素子３１は、ペルチェ素子３０によって加熱されることにより、吸着量が減少する。これにより、吸着素子３１に吸着されている水分が空気中に放出されるため、空気が加湿される。水分を吸着するために吸着素子３１に用いられた空調用吸着材３４は、例えばゼオライトである。また、除加湿装置１００は、温度調節モジュール４をさらに備えている。温度調節モジュール４は、吸着素子３１の加熱が行われているときに、ペルチェ素子３０によって冷却されるとともに、加湿された空気を通過させる温度調整用フィン４３を備えている。吸着素子３１によって加湿された空気は、温度調整用フィン４３を通過するときに冷却される。これにより、加湿された空気の温度上昇が抑制される。
【先行技術文献】
【特許文献】
【０００３】
【特許文献１】特許５２３９７１７号公報
【発明の概要】
【発明が解決しようとする課題】
【０００４】
しかしながら、吸着材であるゼオライトは、一般的に水分を吸着する速度は比較的速いが、水分を放出する速度が比較的遅い。これに対して、単位時間における水分の放出量を増加させるために、吸着材の量を増加させることは、調湿装置全体が大型化する。さらに、吸着剤をペルチェ素子３０によって加熱を行う場合、ペルチェ素子３０の電熱面から吸着剤への熱伝導を利用している。しかし、ゼオライトの熱伝導率が比較的低いことにより、ゼオライトを十分に温度に上昇させる時間が比較的長いため、単位時間における水分の放出量が比較的低くなる。これに対して、単位時間における水分の放出量を増加させるために、吸着材の量をさらに増加させることは、調湿装置全体がさらに大型化する。
【０００５】
そこで、本発明は、上述した問題を解消するためになされたもので、調湿装置の小型化を図ることを目的とする。
【課題を解決するための手段】
【０００６】
上記の課題を解決するため、本発明の調湿装置は、第一空間と第二空間とを連通する流路と、第一空間の空気を流路に導入し、流路に導入された空気を第二空間に導出する送風部と、流路に配設され、流路に導入された空気の加湿または除湿を行う調湿部と、調湿部と電気的に接続され、調湿部の通電を行う通電部と、送風部を少なくとも制御する制御部と、を備えた調湿装置であって、調湿部は、非通電状態である場合、流路に導入された空気の水分を吸着し、通電状態である場合、非通電状態であるときに吸着した水分を流路に導入された空気に放出する導電性高分子材料を用いて形成され、制御部は、送風部によって第一空間の空気を流路に導入し、かつ、通電部によって調湿部を通電状態にして、流路に導入された空気に対して調湿部に吸着している水分を放出させることにより、流路に導入された空気の加湿を行うとともに、加湿をされた空気を送風部によって第二空間に導出する加湿モードを有する加湿制御部と、送風部によって第一空間の空気を流路に導入し、かつ、通電部によって調湿部を非通電状態にして、流路に導入された空気の水分を調湿部に吸着させることにより、流路に導入された空気の除湿を行うとともに、除湿をされた空気を送風部によって第二空間に導出する除湿モードを有する除湿制御部と、を備えている。
【発明の効果】
【０００７】
これによれば、導電性高分子材料を用いて形成された調湿部が、流路に導入された空気の加湿または除湿を行う。導電性高分子は、ゼオライトやシリカゲルと比べて、一般的に水分を吸着する速度および水分を放出する速度の両方とも速い。よって、調湿部がゼオライトやシリカゲルを用いて形成されている場合に比べて、導電性高分子材料を用いて形成された調湿部は、単位時間における水分の吸着量および水分の放出量を増加させることができる。よって、調湿部が比較的小さい場合においても、単位時間における水分の吸着量および水分の放出量を確保することができるため、調湿部ひいては調湿装置の小型化を図ることができる。
【図面の簡単な説明】
【０００８】
【図１】本発明の第一実施形態に係る調湿装置がベッドにと取り付けられている状態を示す側面図である。
【図２】図１に示す調湿装置およびベッドの横断面図である。
【図３】図２に示す調湿部および通電部の概要を示す斜視図である。
【図４】図３に示すフィルムの部分拡大図である。
【図５】図２に示す熱交換部の概要を示す斜視図である。
【図６】図５に示すシートの縦断面図である。
【図７】図６に示す潜熱蓄熱材の特性を示す図である。
【図８】図２に示すVIII−VIII線に沿った調湿装置の断面図である。
【図９】図２に示す調湿装置のブロック図である。
【図１０】図２に示す調湿装置が加湿モードにて動作した場合を示す図である。
【図１１】図２に示す調湿装置が加湿モードにて動作した場合において、流路に導入された空気が流路に沿って流通したときにおける空気の温度変化を示す図である。
【図１２】図２に示す調湿装置が加湿準備モードにて動作した場合を示す図である。
【図１３】図２に示す調湿装置が除湿モードにて動作した場合を示す図である。
【図１４】図２に示す調湿装置が除湿準備モードにて動作した場合を示す図である。
【図１５】本発明の第二実施形態に係る調湿装置のブロック図である。
【図１６】図１５に示す制御部に記憶されている第一マップである。
【図１７】図１５に示す制御部に記憶されている第二マップである。
【図１８】本発明の第三実施形態に係る調湿装置がベッドに取り付けられている状態を示す側面図である。
【図１９】図１８に示す調湿装置のブロック図である。
【図２０】本発明の第四実施形態に係る調湿装置のブロック図である。
【図２１】本発明の第五実施形態に係る調湿装置のブロック図である。
【図２２】本発明の第六実施形態に係る調湿装置のブロック図である。
【図２３】本発明の第七実施形態に係る調湿装置の横断面図である。
【図２４】図２３に示す調湿装置のブロック図である。
【図２５】本発明の第八実施形態に係る調湿装置の横断面図である。
【図２６】本発明の各実施形態の第二変形例に係る調湿装置の横断面図である。
【図２７】図２６に示す調湿装置の部分拡大図である。
【図２８】本発明の各実施形態の第五変形例に係る調湿装置のブロック図である。
【図２９】本発明の第一実施形態乃至第七実施形態の第一変形例に係る調湿装置の横断面図である。
【図３０】本発明の第一実施形態乃至第七実施形態の第二変形例に係る調湿装置の横断面図であり、調湿装置が加湿モードにて動作している状態を示している。
【図３１】図３０に示すXXXI−XXXI線に沿った調湿装置の断面図である。
【図３２】図３０に示す調湿装置が加湿準備モードにて動作している状態を示している。
【図３３】本発明の第一実施形態乃至第七実施形態の第三変形例に係る調湿装置の横断面図であり、調湿装置が加湿モードにて動作している状態を示している。
【図３４】図３３に示す調湿装置の横断面図であり、調湿装置が加湿準備モードにて動作している状態を示している。
【図３５】本発明の第一実施形態乃至第七実施形態の第三変形例に係る調湿装置の潜熱蓄熱材の特性を示す図であり、室温が１５℃であるときに、調湿装置が加湿モードにて運転した場合における熱交換部の温度変化を表している。
【図３６】図３５の調湿装置の潜熱蓄熱材の特性を示す図であり、室温が２０℃であるときに、調湿装置が加湿モードにて運転した場合における熱交換部の温度変化を表している。
【図３７】図３５の調湿装置の潜熱蓄熱材の特性を示す図であり、室温が２５℃であるときに、調湿装置が加湿モードにて運転した場合における熱交換部の温度変化を表している。
【図３８】本発明の第一実施形態乃至第七実施形態の第五変形例に係る調湿装置が、車両に取り付けられている状態を示す概要図である。
【図３９】本発明の各実施形態および各変形例に係る調湿装置の調湿部の一の変形例を示す図である。
【図４０】本発明の各実施形態および各変形例に係る調湿装置の調湿部の他の変形例を示す図である。
【図４１】本発明の各実施形態および各変形例に係る調湿装置のフィルムの一の変形例を示す断面図である。
【図４２】本発明の各実施形態および各変形例に係る調湿装置のフィルムの他の変形例を示す図である。
【図４３】本発明の第一実施形態乃至第七実施形態に係る調湿装置のケースの一変形例を示す図である。
【図４４】本発明の各実施形態および各変形例に係る調湿装置の調湿部の一変形例を示す図である。
【発明を実施するための形態】
【０００９】
以下、本発明による調湿装置１の第一実施形態について説明する。なお、本明細書においては説明の便宜上、図１における上側および下側をそれぞれ調湿装置１の上方および下方とし、同じく左側および右側をそれぞれ調湿装置１の前方および後方とし、同じく紙面手前側および紙面奥側を、それぞれ調湿装置１の右方および左方として説明する。
【００１０】
調湿装置１は、使用者Ａの就寝する第二空間Ｓ２（後述する）を加湿または除湿するものである。調湿装置１は、就寝している使用者Ａの特に頭部の周囲の空間を加湿または除湿する。調湿装置１は、図１および図２に示すように、ベッドＢに取り付けられている。ベッドＢは、フレーム部Ｂ１、脚部Ｂ２およびヘッドボード部Ｂ３を備えている。また、フレーム部Ｂ１にはマットレスＭが敷かれている。ヘッドボード部Ｂ３は、マットレスＭ上の使用者Ａの就寝する第二空間Ｓ２（後述する）に向けて開口するとともに、ヘッドボード部Ｂ３を貫通する貫通穴Ｂ３ａが形成されている。調湿装置１は、第二連通部１２（後述する）が貫通穴Ｂ３ａと連通するように、ヘッドボード部Ｂ３に取り付けられている。
【００１１】
調湿装置１は、図２に示すように、ケース１０、送風装置２０（本発明の送風部に相当）、調湿部３０、通電部４０、熱交換部５０、第一遮断装置６０（本発明の第一遮断部に相当）、第二遮断装置７０（本発明の第二遮断部に相当）および調湿装置１を統括制御する制御装置８０（本発明の制御部に相当）を備えている。
【００１２】
ケース１０は、内部に空気を流通させる流路Ｌを有し、左右方向に沿って延びる筒状に形成されている。流路Ｌは、流路Ｌとケース１０外部とをそれぞれ連通する第一連通部１１、第二連通部１２および第三連通部１３を備えている。第一連通部１１は、ケース１０の右端部に形成され、流路Ｌからケース１０の右側の空間である第一空間Ｓ１に向かって開口する。第二連通部１２は、ケース１０の側壁に形成され、流路Ｌから貫通穴Ｂ３ａを介してマットレスＭ上の使用者Ａの就寝する空間である第二空間Ｓ２に向けて開口する。第三連通部１３は、ケース１０の左端部に形成され、流路Ｌからケース１０の左側の空間である第三空間Ｓ３に向かって開口する。第一空間Ｓ１乃至第三空間Ｓ３は、ベッドＢが設置された同じ部屋内の空間である。流路Ｌは、各連通部１１，１２，１３を介して、第一空間Ｓ１、第二空間Ｓ２および第三空間Ｓ３をそれぞれ連通する。流路Ｌには、第一連通部１１と第二連通部１２との間にて、ケース１０の右側から左側に向かって順に、送風装置２０、調湿部３０、熱交換部５０が配設されている。また、調湿装置１が第二空間Ｓ２の加湿または除湿を行う場合における流路Ｌの空気の流れる方向において、熱交換部５０が、調湿部３０より下流側に位置するように配設されている。
【００１３】
送風装置２０は、第一連通部１１に配設され、流路Ｌに第一空間Ｓ１の空気を導入し、導入された空気を第二空間Ｓ２に導出するものである。送風装置２０は、例えば軸流ファンである。送風装置２０は、制御装置８０と電気的に接続され、制御装置８０から送信される制御指令値に従って駆動する。なお、送風装置２０は、ＰＷＭ制御されているため、制御指令値は、デューティ比にて算出される。また、本第一実施形態において、送風装置２０は、流路Ｌに第三空間Ｓ３の空気を導入し、導入された空気を第一空間Ｓ１に導出するようにも駆動される（後述する）。
【００１４】
調湿部３０は、流路Ｌに配設され、流路Ｌに導入された空気の加湿または除湿を行うものである。調湿部３０は、導電性高分子材料を用いて形成されている。導電性高分子材料は、非通電である場合、流路Ｌに導入された空気の水分を吸着し、通電状態である場合、非通電状態であるときに吸着した水分を流路Ｌに導入された空気に放出するものである。調湿部３０への通電量が増加するにしたがって、調湿部３０によって放出される水分の量が増加する。また、導電性高分子材料は、通電された場合にジュール熱が発生する。調湿部３０への通電量が増加するにしたがって、ジュール熱による発熱量が増加するため、調湿部３０の温度が高くなる。さらに、導電性高分子材料は、水分を吸着する場合に吸着熱が発生する。
【００１５】
調湿部３０は、図３に示すように、導電性高分子材料を用いて形成された複数のフィルム３１をそれぞれ所定距離離れて並べることにより形成されている。所定距離は、流路Ｌに導入された空気が流通可能な距離である。流路Ｌに導入された空気は、調湿部３０を図中に示す矢印の方向に沿って流通する。フィルム３１は、例えば、不織布に液状の導電性高分子を含浸させた後乾燥させることで形成されている。また、フィルム３１は、図４に示すように、フィルム３１の両面から突出する複数の凸形状３１ａを有するように形成されている。凸形状３１ａは、不織布を、例えばプレス加工することによって形成されている。
【００１６】
通電部４０は、調湿部３０と電気的に接続され、調湿部３０の通電を行うものである。通電部４０は、図１および図３に示すように、電線４１、電源４２および開閉器４３を備えている。電線４１は、図３に示すように、調湿部３０のフィルム３１それぞれの一端および他端に接続され、電源４２と各フィルム３１とを電気的に並列に接続するものである。電源４２は、例えば蓄電池である。開閉器４３は、電線４１上に配設され、制御装置８０から送信される制御指令値にしたがって電源４２と調湿部３０とを電気的に接続または遮断することで、調湿部３０が通電されている通電状態と調湿部３０が通電されていない非通電状態とを切り替えるものである。開閉器４３は、非作動時に開路とするノーマルオープン型の開閉器である。開閉器４３は、閉路することにより電源４２と調湿部３０とを電気的に接続する。一方、開閉器４３は、開路することにより、電源４２と調湿部３０とを電気的に遮断する。
【００１７】
熱交換部５０は、流路Ｌに配設され、流路Ｌに導入された空気に調湿部３０から放出された熱を吸収するものである。熱交換部５０は、本第一実施形態において、調湿部３０によって流路Ｌに導入された空気に放出された熱を蓄える潜熱蓄熱材５１ａを用いて形成されている。潜熱蓄熱材５１ａは、例えば酢酸ナトリウム等の無機水和塩系潜熱蓄熱材である。熱交換部５０は、図５に示すように、潜熱蓄熱材５１ａを用いて形成された複数のシート５１をそれぞれ所定距離離れて並べることにより形成されている。所定距離は、流路Ｌに導入された空気が流通可能な距離である。流路Ｌに導入された空気は、熱交換部５０を図中に示す矢印の方向に沿って流通する。シート５１は、図６に示すように、潜熱蓄熱材５１ａを金属箔５１ｂによって覆うことにより形成されている。また、潜熱蓄熱材５１ａは、図７に示すように、固体である状態から固体と液体が混在する状態に相転移する温度である融解点を、一般家庭における室温以上の第一融解温度ＭＰ１（例えば４０℃）に設定されている。さらに、潜熱蓄熱材５１ａの熱容量やシート５１の表面積等は、第一空間Ｓ１の空気の温度に対する第二空間Ｓ２に導出される空気の上昇温度が比較的小さくなるように設定されている（後述する）。
【００１８】
第一遮断装置６０は、第二連通部１２に配設され、第二連通部１２を連通状態または遮断状態にするものである。第一遮断装置６０は、図８に示すように、ケース１０の外側から第二連通部１２を覆う板状の第一蓋部６１、および、第一蓋部６１を回動可能に支持する第一ヒンジ部６２を備えている。第一蓋部６１は、流路Ｌ内の圧力値が第一遮断圧力値以下である場合、自重により第二連通部１２を遮断状態（図２、図１２および図１４参照）にする。一方、第一蓋部６１は、流路Ｌ内の圧力値が第一遮断圧力値より大きい場合、図８において破線にて示すように、反時計周りに回動して第二連通部１２を連通状態（図１０および図１３参照）にする。第一遮断圧力値は正圧に設定されている。
【００１９】
第二遮断装置７０は、第三連通部１３に配設され、第三連通部１３を連通状態または遮断状態にするものである。第二遮断装置７０は、ケース１０の内側から第三連通部１３を覆う板状の第二蓋部７１、および、第二蓋部７１を回動可能に支持する第二ヒンジ部７２を備えている。第二蓋部７１は、流路Ｌ内の圧力値が第一遮断圧力値より小さい第二遮断圧力値以上である場合、自重により第三連通部１３を遮断状態（図２、図１０および図１３参照）にする。一方、第二蓋部７１は、流路Ｌ内の圧力値が第二遮断圧力値より小さい場合、第一遮断装置６０と同様に回動することにより第三連通部１３を連通状態（図１２および図１４参照）にする。第二遮断圧力値は、負圧に設定されている。
【００２０】
制御装置８０は、図９に示すように、加湿制御部８１および除湿制御部８２を備えている。加湿制御部８１は、第二空間Ｓ２の加湿を行うものである。加湿制御部８１は、調湿装置１の運転モードとして、加湿モードＨＭ１および加湿準備モードＨＭ２を備えている。
【００２１】
加湿モードＨＭ１は、第一空間Ｓ１から流路Ｌに導入された空気の加湿を行うとともに、加湿をされた空気を第二空間Ｓ２に導出する運転モードである。加湿モードＨＭ１においては、送風装置２０は、第一空間Ｓ１の空気を第一連通部１１から流路Ｌに導入して、流路Ｌ内の圧力を第一圧力値とする第一駆動量Ｒ１にて駆動される。第一圧力値は、第二連通部１２を連通状態かつ第三連通部１３を遮断状態にする流路Ｌ内の圧力値であり、本第一実施形態においては、第一遮断圧力値より大きい圧力値に設定されている。
【００２２】
また、加湿モードＨＭ１においては、調湿部３０を通電状態にするように通電部４０の開閉器４３が閉路とされる。本第一実施形態においては、第一空間Ｓ１の空気の温度が２５℃かつ相対湿度が４０％である場合、第一空間Ｓ１から流路Ｌに導入された空気が加湿されて、第二空間Ｓ２に導出される空気の相対湿度をおよそ９０％とするように、送風装置２０の駆動量、調湿部３０への通電量や調湿部３０のフィルム３１の表面積等が設定されている。
【００２３】
加湿準備モードＨＭ２は、第三空間Ｓ３から流路Ｌに導入された空気の水分を調湿部３０に吸着させて加湿モードＨＭ１による加湿を行うための準備を行う運転モードである。加湿準備モードＨＭ２においては、送風装置２０は、流路Ｌの空気を第一連通部１１から第一空間Ｓ１に導出して、流路Ｌ内の圧力を第二圧力値とする第二駆動量Ｒ２にて駆動される。第二圧力値は、第二連通部１２を遮断状態かつ第三連通部１３を連通状態にする流路Ｌ内の圧力値であり、本第一実施形態においては、第二遮断圧力値より小さい圧力値に設定されている。なお、このように第一圧力値および第二圧力値が設定されることにより、加湿モードＨＭ１における送風装置２０の駆動方向と加湿準備モードＨＭ２における送風装置２０の駆動方向とが異なる。
【００２４】
また、加湿準備モードＨＭ２においては、調湿部３０を非通電状態にするように通電部４０の開閉器４３が開路とされる。本第一実施形態においては、加湿モードＨＭ１において調湿部３０が放出する水分量が確保されるように、送風装置２０の駆動量や後述する所定動作時間Ｔｓが設定されている。
【００２５】
加湿制御部８１は、第二空間Ｓ２の加湿を行う場合、加湿モードＨＭ１と加湿準備モードＨＭ２とを所定動作時間Ｔｓ毎に交互に繰り返す。所定動作時間Ｔｓは、例えば３分である。所定動作時間Ｔｓは、第一空間Ｓ１の空気の温度に対する第二空間Ｓ２に導出される空気の上昇温度が比較的小さくなるように設定されている（後述する）。また、所定動作時間Ｔｓは、熱交換部５０が調湿部３０から放出された熱を吸収した場合においても、熱交換部５０の温度が第一融解温度ＭＰ１より小さくなるように設定されている（後述する）。
【００２６】
除湿制御部８２は、第二空間Ｓ２の除湿を行うものである。除湿制御部８２は、調湿装置１の運転モードとして、除湿モードＤＭ１および除湿準備モードＤＭ２を備えている。
除湿モードＤＭ１は、第一空間Ｓ１から流路Ｌに導入された空気の除湿を行うとともに、除湿をされた空気を第二空間Ｓ２に導出する運転モードである。除湿モードＤＭ１においては、送風装置２０が流路Ｌ内の圧力を第一圧力値とする第一駆動量Ｒ１にて駆動され、かつ、調湿部３０を非通電状態にするように通電部４０の開閉器４３が開路とされる。本第一実施形態においては、第一空間Ｓ１の空気の温度が２５℃かつ相対湿度が６０％である場合、相対湿度をおよそ４０％とするように除湿された空気が第二空間Ｓ２に導出されるように、送風装置２０の駆動量や調湿部３０のフィルム３１の表面積等が設定されている。
【００２７】
除湿準備モードＤＭ２は、調湿部３０に吸着している水分を第三空間Ｓ３から流路Ｌに導入された空気に放出させて除湿モードＤＭ１による除湿を行うための準備を行う運転モードである。除湿準備モードＤＭ２においては、送風装置２０が流路Ｌ内の圧力を第二圧力値とする第二駆動量Ｒ２にて駆動され、かつ、調湿部３０を通電状態にするように通電部４０の開閉器４３が閉路とされる。本第一実施形態においては、除湿モードＤＭ１において調湿部３０が吸着する水分量が確保されるように、送風装置２０の駆動量や所定動作時間Ｔｓが設定されている。
また、除湿制御部８２は、第二空間Ｓ２の除湿を行う場合、除湿モードＤＭ１と除湿準備モードＤＭ２とを所定動作時間Ｔｓ毎に交互に繰り返す。
【００２８】
次に、加湿制御部８１が第二空間Ｓ２の加湿を行う場合における調湿装置１の動作について図１０乃至図１２を用いて説明する。ベッドＢが配設されている部屋の温度（以下、室温Ｔｒとする。）が２５℃である場合にて説明する。なお、空気の流れは、図中に矢印にて示す。
調湿装置１の運転が行われていない場合、送風装置２０が駆動しておらず、調湿部３０が非通電状態である。また、この場合、遮断装置６０，７０が作動しないため連通部１２，１３が遮断状態である（図２参照）。また、各空間Ｓ１，Ｓ２，Ｓ３および熱交換部５０の温度は、室温Ｔｒになっている。加湿制御部８１は、例えば使用者Ａによって第二空間Ｓ２の加湿を開始するためのスイッチ（図示なし）がオンされたときに、第二空間Ｓ２の加湿を開始する。加湿制御部８１は、加湿モードＨＭ１にて調湿装置１の運転を開始する。
【００２９】
加湿モードＨＭ１にて調湿装置１の運転が開始された場合、加湿制御部８１は、送風装置２０を第一駆動量Ｒ１にて駆動する。これによって、第一空間Ｓ１の空気が第一連通部１１から流路Ｌに導入され、流路Ｌ内の圧力が第一圧力値となることにより、図１０に示すように、第一遮断装置６０が作動することで第二連通部１２が連通状態となるため、流路Ｌと第二空間Ｓ２とが連通する。また、この場合、第二遮断装置７０が作動しないことで第三連通部１３が遮断状態のままであるため、流路Ｌと第三空間Ｓ３とが遮断されている。
【００３０】
第一連通部１１から流路Ｌに導入された空気は、調湿部３０に導入される。加湿制御部８１は、通電部４０によって調湿部３０を通電状態にしているため、流路Ｌに導入された空気は、調湿部３０を流通しているときに、調湿部３０に吸着されている水分が放出されることにより加湿をされる。また、このとき、第一空間Ｓ１から導入された空気の温度は、調湿部３０によって放出される熱（ジュール熱）により上昇する。本第一実施形態において、図１１に示すように、室温Ｔｒに対する調湿部３０を流通する空気の上昇温度は、第一上昇温度Ｔｄ１以下である。第一上昇温度Ｔｄ１は、およそ１０℃である。そして、加湿された空気は、調湿部３０から導出され、熱交換部５０に導入される。
【００３１】
調湿部３０によって加湿された空気は、熱交換部５０を流通しているときに、空気に含まれる熱を熱交換部５０に吸収される。これにより加湿された空気の温度が室温Ｔｒ付近にまで下がる。本第一実施形態において、室温Ｔｒに対する熱交換部５０から導出された空気の上昇温度は、第二上昇温度Ｔｄ２以下である。第二上昇温度Ｔｄ２は、およそ２℃である。そして、熱交換部５０から導出された空気は、図１０に示すように、第二連通部１２を介して第二空間Ｓ２に導出される。これにより、第二空間Ｓ２が加湿される。
【００３２】
一方、調湿装置１が加湿モードＨＭ１にて動作している場合、熱交換部５０が加湿された空気の熱を吸収することにより、図７にて実線の矢印にて示すように、熱交換部５０の温度が室温Ｔｒから上昇する。調湿装置１が加湿モードＨＭ１にて動作を開始してから所定動作時間Ｔｓ経過したとき、熱交換部５０の温度は第一融解温度ＭＰ１より低い第一温度Ｔ１になっている。なお、第一温度Ｔ１を第一融解温度ＭＰ１より低くするように、調湿装置１が運転される場合においては、調湿部３０を、後述する金属繊維または金属製パイプによって構成しても良い。
【００３３】
加湿制御部８１は、加湿モードＨＭ１にて調湿装置１の運転を開始した時点から所定動作時間Ｔｓが経過したとき、加湿モードＨＭ１による調湿装置１の運転を停止して、加湿準備モードＨＭ２にて調湿装置１の運転を開始する。
【００３４】
加湿準備モードＨＭ２にて調湿装置１の運転が開始された場合、加湿制御部８１は、送風装置２０を第二駆動量Ｒ２にて駆動する。これによって、流路Ｌの空気が第一連通部１１から第一空間Ｓ１に導出され、流路Ｌ内の圧力が第二圧力値となることにより、図１２に示すように、第二遮断装置７０が作動することで第三連通部１３が連通状態となるため、流路Ｌと第三空間Ｓ３とが連通する。また、第一遮断装置６０が作動しないことで第二連通部１２が遮断状態となるため、流路Ｌと第二空間Ｓ２とが遮断される。これにより、第三空間Ｓ３の空気が第三連通部１３を介して流路Ｌに導入される。
【００３５】
第三連通部１３から流路Ｌに導入された空気は、熱交換部５０に導入される。第三空間Ｓ３の空気の温度が室温Ｔｒであり、かつ、熱交換部５０の温度が室温Ｔｒより高い第一温度Ｔ１であるため、流路Ｌに導入された空気は、熱交換部５０を流通しているときに、熱交換部５０を冷却する。これにより、図７の破線にて示すように、熱交換部５０の温度が第一温度Ｔ１から下がる。加湿準備モードＨＭ２にて調湿装置１の運転が開始された時点から所定動作時間Ｔｓが経過した場合、熱交換部５０の温度は、室温Ｔｒになる（図７参照）。そして、熱交換部５０から導出された空気は、調湿部３０に導入される。
【００３６】
加湿制御部８１は、加湿準備モードＨＭ２において通電部４０によって調湿部３０を非通電状態にしているため、流路Ｌに導入された空気は、調湿部３０を流通しているときに、空気中の水分を調湿部３０に吸着される。これにより、加湿モードＨＭ１において放出される水分が調湿部３０に蓄えられる。また、このとき、流路Ｌに導入された空気の温度は、調湿部３０によって放出される熱（吸着熱）により上昇する。そして、調湿部３０から導出された空気は、第一連通部１１を介して第一空間Ｓ１に導出される。
【００３７】
加湿制御部８１は、加湿準備モードＨＭ２にて調湿装置１の運転を開始した時点から所定動作時間Ｔｓが経過したとき、加湿準備モードＨＭ２による調湿装置１の運転を停止して、上述した加湿モードＨＭ１にて調湿装置１の運転を開始する。このように、加湿制御部８１は、所定動作時間Ｔｓ毎に加湿モードＨＭ１と加湿準備モードＨＭ２とを切り替えて、調湿装置１を運転する。そして、加湿制御部８１は、例えば使用者Ａによって第二空間Ｓ２の加湿を停止するためのスイッチ（図示なし）がオフされたときに、調湿装置１の運転を停止して、第二空間Ｓ２の加湿を停止する。
【００３８】
次に、除湿制御部８２が第二空間Ｓ２の除湿を行う場合における調湿装置１の動作について、主として上述した加湿制御部８１が第二空間Ｓ２の加湿を行う場合と異なる部分について図１３および図１４を用いて説明する。除湿制御部８２は、例えば使用者Ａによって第二空間Ｓ２の除湿を開始するためのスイッチ（図示なし）がオンされたときに、第二空間Ｓ２の除湿を開始する。除湿制御部８２は、除湿モードＤＭ１にて調湿装置１の運転を開始する。
【００３９】
除湿モードＤＭ１は、加湿モードＨＭ１と比べて、調湿部３０が非通電状態である点が異なっている（図１３参照）。よって、除湿モードＤＭ１において、第一連通部１１から流路Ｌに導入された空気は、調湿部３０を流通しているときに、空気中の水分を調湿部３０に吸着されることにより除湿される。また、このとき、第一空間Ｓ１から導入された空気の温度は、調湿部３０によって放出される熱（吸着熱）により上昇する。なお、このときの空気の上昇温度は、加湿モードＨＭ１における調湿部３０から放出される熱による空気の上昇温度より低い。そして、除湿された空気は、調湿部３０から導出され、熱交換部５０に導入される。
【００４０】
調湿部３０によって除湿された空気は、熱交換部５０を流通しているときに、空気に含まれる熱を熱交換部５０に吸収される。なお、このとき、調湿部３０から放出された熱のおよそ全部が熱交換部５０に吸収される。よって、熱交換部５０から導出される空気の温度は、およそ室温Ｔｒになっている。そして、熱交換部５０から導出された空気は、第二連通部１２を介して第二空間Ｓ２に導出される。これにより、第二空間Ｓ２が除湿される。
除湿制御部８２は、除湿モードＤＭ１にて調湿装置１の運転を開始した時点から所定動作時間Ｔｓが経過したとき、除湿モードＤＭ１による調湿装置１の運転を停止して、除湿準備モードＤＭ２にて調湿装置１の運転を開始する。
【００４１】
除湿準備モードＤＭ２は、加湿準備モードＨＭ２と比べて、調湿部３０が通電状態である点が異なっている（図１４参照）。よって、除湿準備モードＤＭ２において、第三連通部１３から流路Ｌに導入された空気は、調湿部３０を流通しているときに、調湿部３０に吸着している水分が放出される。また、このとき、流路Ｌに導入された空気の温度は、調湿部３０によって放出される熱（ジュール熱）により上昇する。そして、調湿部３０から導出された空気は、第一連通部１１を介して第一空間Ｓ１に導出される。
【００４２】
本第一実施形態によれば、調湿装置１は、第一空間Ｓ１と第二空間Ｓ２とを連通する流路Ｌと、第一空間Ｓ１の空気を流路Ｌに導入し、流路Ｌに導入された空気を第二空間Ｓ２に導出する送風装置２０と、流路Ｌに配設され、流路Ｌに導入された空気の加湿または除湿を行う調湿部３０と、調湿部３０と電気的に接続され、調湿部３０の通電を行う通電部４０と、送風装置２０を少なくとも制御する制御装置８０と、を備えている。調湿部３０は、非通電状態である場合、流路Ｌに導入された空気の水分を吸着し、通電状態である場合、非通電状態であるときに吸着した水分を流路Ｌに導入された空気に放出する導電性高分子材料を用いて形成され、制御装置８０は、送風装置２０によって第一空間Ｓ１の空気を流路Ｌに導入し、かつ、通電部４０によって調湿部３０を通電状態にして、流路Ｌに導入された空気に対して調湿部３０に吸着している水分を放出させることにより、流路Ｌに導入された空気の加湿を行うとともに、加湿をされた空気を送風装置２０によって第二空間Ｓ２に導出する加湿モードＨＭ１を有する加湿制御部８１と、送風装置２０によって第一空間Ｓ１の空気を流路Ｌに導入し、かつ、通電部４０によって調湿部３０を非通電状態にして、流路Ｌに導入された空気の水分を調湿部３０に吸着させることにより、流路Ｌに導入された空気の除湿を行うとともに、除湿をされた空気を送風装置２０によって第二空間Ｓ２に導出する除湿モードＤＭ１を有する除湿制御部８２と、を備えている。
これによれば、導電性高分子材料を用いて形成された調湿部３０が、流路Ｌに導入された空気の加湿または除湿を行う。導電性高分子は、ゼオライトやシリカゲルと比べて、一般的に水分を吸着する速度および水分を放出する速度の両方とも速い。よって、調湿部３０がゼオライトやシリカゲルを用いて形成されている場合に比べて、導電性高分子材料を用いて形成された調湿部３０は、単位時間における水分の吸着量および水分の放出量を増加させることができる。よって、調湿部３０が比較的小さい場合においても、単位時間における水分の吸着量および水分の放出量を確保することができるため、調湿部３０ひいては調湿装置１の小型化を図ることができる。
また、従来技術においては、吸着材から水分を放出させる場合、ペルチェ素子等の吸着材を間接的に加熱する部材を用いている。これに対し、本第一実施形態の調湿装置１は、通電部４０によって調湿部３０を直接通電することで、調湿部３０の温度を直接的に上昇させている。よって、従来技術に比べて、調湿装置１の部品点数を少なくすることができるため、調湿装置１の小型化をさらに図ることができる。
さらに、調湿装置１は、使用者Ａが給水することなく加湿を行うことができるため、一般的な加湿装置と比べて、使用者Ａが簡便に使用することができる。また、調湿装置１は、水を貯留する部材が不要であるため、一般的な加湿装置と比べて部品点数を少なくすることができる。よって、調湿装置１の小型化を図ることができる。
そして、調湿装置１は、第一空間Ｓ１または第三空間Ｓ３の空気の水分を利用して、第二空間Ｓ２の加湿または除湿を行っている。各空間Ｓ１，Ｓ２，Ｓ３は、同じ室内であるため、室内全体の湿度は変化しない。よって、調湿装置１によって第二空間Ｓ２が調湿される場合においても、室内における結露の発生を抑制することができる。
【００４３】
また、調湿部３０は、水分を吸着するとき、および、通電状態であるときに生じる熱を流路Ｌに導入された空気に放出し、調湿装置１は、流路Ｌに配設され、流路Ｌに導入された空気に放出された熱を吸収する熱交換部５０をさらに備えている。
これによれば、熱交換部５０が、流路Ｌに導入された空気に含まれた調湿部３０から放出された熱を吸収するため、第二空間Ｓ２に導出される加湿または除湿された空気の上昇温度を比較的簡便に抑制することができる。
【００４４】
また、熱交換部５０は、流路Ｌに導入された空気に放出された熱を吸収して蓄える潜熱蓄熱材５１ａによって形成されている。
これによれば、熱交換部５０が、潜熱蓄熱材５１ａによって形成されているため、従来技術のように、加湿された空気の上昇温度を抑制するためにペルチェ素子を用いる場合に比べて、調湿装置１を簡便に構成することができるとともに、調湿装置１の小型化を図ることができる。
【００４５】
また、流路Ｌは、流路Ｌと第一空間Ｓ１とを連通する第一連通部１１と、流路Ｌと第二空間Ｓ２とを連通する第二連通部１２と、第二連通部１２と調湿部３０との間にて流路Ｌと第三空間Ｓ３と連通する第三連通部１３と、をさらに備えている。調湿装置１は、第二連通部１２に配設され、流路Ｌ内の圧力値に応じて第二連通部１２を連通状態または遮断状態にする第一遮断装置６０と、第三連通部１３に配設され、流路Ｌ内の圧力値に応じて第三連通部１３を連通状態または遮断状態にする第二遮断装置７０と、をさらに備えている。加湿制御部８１は、加湿モードＨＭ１において、送風装置２０の駆動量を調整することにより、流路Ｌ内の圧力値を、第二連通部１２を連通状態かつ第三連通部１３を遮断状態にする流路Ｌ内の圧力値である第一圧力値にして第一空間Ｓ１の空気を流路Ｌに導入する。加湿制御部８１は、送風装置２０の駆動量を調整することにより、流路Ｌ内の圧力値を、第二連通部１２を遮断状態かつ第三連通部１３を連通状態にする流路Ｌ内の圧力値である第二圧力値にして、第三空間Ｓ３の空気を流路Ｌに導入し、かつ、通電部４０によって調湿部３０を非通電状態にして、流路Ｌに導入された空気の水分を調湿部３０に吸着させて加湿を行うための準備を行う加湿準備モードＨＭ２をさらに備えている。除湿制御部８２は、除湿モードＤＭ１において、送風装置２０の駆動量を調整することにより、流路Ｌ内の圧力値を第一圧力値にして、第一空間Ｓ１の空気を流路Ｌに導入する。除湿制御部８２は、送風装置２０の駆動量を調整することにより、流路Ｌ内の圧力値を第二圧力値にして、第三空間Ｓ３の空気を流路Ｌに導入し、かつ、通電部４０によって調湿部３０を通電状態にして、調湿部３０に吸着している水分を流路Ｌに導入された空気に放出させて除湿を行うための準備を行う除湿準備モードＤＭ２をさらに備えている。
これによれば、各遮断装置６０，７０は、流路Ｌ内の圧力値に応じて各連通部１１，１２，１３における連通状態と遮断状態とを切り替える。よって、各連通部１１，１２，１３を、例えばモータ等の駆動源を用いて連通状態と遮断状態とを切り替える場合に比べ、部品点数を少なくすることができる。よって、遮断装置６０，７０ひいては調湿装置１の小型化を図ることができる。
【００４６】
次に、本発明による調湿装置１の第二実施形態について、主に第一実施形態と異なる部分について、図１５乃至図１７を用いて説明する。本第二実施形態の調湿装置１においては、制御装置８０が、第二空間Ｓ２に導出される空気の湿度を目標湿度とするように調湿装置１を運転する。本第二実施形態の調湿装置１においては、上述した第一実施形態と比べて、入力部１９１をさらに備えている。また、制御装置８０がおよび目標湿度設定部１８３をさらに備えている。また、加湿制御部８１が第一水分量調整部１８１ａを、除湿制御部８２が第二水分量調整部１８２ａをさらに備えている。
【００４７】
入力部１９１は、使用者Ａの操作によって目標湿度が入力されるものである。入力部１９１は、例えば複数のスイッチ（図示なし）により構成されている。本第二実施形態の入力部１９１は、加湿モードＨＭ１における目標湿度として、第一湿度Ｈ１（例えば、８０％）、および、第一湿度Ｈ１より低い第二湿度Ｈ２（例えば６０％）の一方が入力される。また、入力部１９１は、除湿モードＤＭ１における目標湿度として、第二湿度Ｈ２より低い第三湿度Ｈ３（例えば、４０％）、および、第三湿度Ｈ３より低い第四湿度Ｈ４（例えば２５％）の一方が入力される。
目標湿度設定部１８３は、入力部１９１に入力された目標湿度にしたがって、目標湿度を設定するものである。本第二実施形態においては、加湿モードＨＭ１における目標湿度として第一湿度Ｈ１および第二湿度Ｈ２の一方が、除湿モードＤＭ１の目標湿度として第三湿度Ｈ３および第四湿度Ｈ４の一方が設定される。
【００４８】
第一水分量調整部１８１ａは、加湿制御部８１が加湿モードＨＭ１にて調湿装置１を制御する場合、第二空間Ｓ２に導出される空気の湿度が目標湿度となるように、流路Ｌに導入された空気の量に対する調湿部３０から放出される水分の量を調節するものである。第一水分量調整部１８１ａは、第一マップＭ１に基づいて、調湿部３０から放出される水分の量を調節する。第一マップＭ１は、制御装置８０に予め記憶され、図１６に示すように、目標湿度と加湿モードＨＭ１および加湿準備モードＨＭ２における送風装置２０の駆動量との関係を示すものである。
【００４９】
加湿モードＨＭ１において、目標湿度が第一湿度Ｈ１である場合、加湿制御部８１は、第一マップＭ１に基づいて、送風装置２０を第一駆動量Ｒ１にて駆動する。第一駆動量Ｒ１は、加湿モードＨＭ１において、第一空間Ｓ１の空気の温度が２５℃かつ湿度が５０％であるときに、第二空間Ｓ２に導出される空気の湿度を第一湿度Ｈ１にする駆動量である。
【００５０】
また、加湿モードＨＭ１において、目標湿度が第二湿度Ｈ２である場合、加湿制御部８１は、第一マップＭ１に基づいて、送風装置２０を第三駆動量Ｒ３にて駆動する。第三駆動量Ｒ３は、第一駆動量Ｒ１より大きい駆動量に設定されている。送風装置２０が第三駆動量Ｒ３にて駆動された場合、送風装置２０が第一駆動量Ｒ１にて駆動されたときと比べて、調湿部３０を流通する空気の流量が多くなるため、単位流量あたりの空気に調湿部３０から放出される水分の量が少なくなる。よって、この場合、送風装置２０が第一駆動量Ｒ１にて駆動されたときと比べて、第二空間Ｓ２に導出される空気の湿度が低くなる。第三駆動量Ｒ３は、加湿モードＨＭ１において、第一空間Ｓ１の空気の温度が２５℃かつ湿度が５０％であるときに、第二空間Ｓ２に導出される空気の湿度を第二湿度Ｈ２にする駆動量である。
一方、加湿準備モードＨＭ２においては、目標湿度が第一湿度Ｈ１および第二湿度Ｈ２の両方において送風装置２０は第二駆動量Ｒ２にて駆動される。
【００５１】
第二水分量調整部１８２ａは、除湿制御部８２が除湿モードＤＭ１にて調湿装置１を制御する場合、第二空間Ｓ２に導出される空気の湿度が目標湿度となるように、流路Ｌに導入された空気の量に対する調湿部３０に吸着される水分の量を調節するものである。第二水分量調整部１８２ａは、第二マップＭ２に基づいて、調湿部３０に吸着される水分の量を調節する。第二マップＭ２は、制御装置８０に予め記憶され、図１７に示すように、目標湿度と除湿モードＤＭ１および除湿準備モードＤＭ２における送風装置２０の駆動量との関係を示すものである。
【００５２】
除湿モードＤＭ１において、目標湿度が第三湿度Ｈ３である場合、加湿制御部８１は、第二マップＭ２に基づいて、送風装置２０を第三駆動量Ｒ３にて駆動する。第三駆動量Ｒ３は、除湿モードＤＭ１において、第一空間Ｓ１の空気の温度が２５℃かつ湿度が５０％であるときに、第二空間Ｓ２に導出される空気の湿度を第三湿度Ｈ３にする駆動量である。
【００５３】
また、除湿モードＤＭ１において、目標湿度が第四湿度Ｈ４である場合、除湿制御部８２は、第二マップＭ２に基づいて、送風装置２０を第一駆動量Ｒ１にて駆動する。送風装置２０が第一駆動量Ｒ１にて駆動された場合、送風装置２０が第三駆動量Ｒ３にて駆動されたときと比べて、調湿部３０を流通する空気の流量が少なくなるため、単位流量あたりの空気の水分のうち調湿部３０に吸着する水分の量が多くなる。よって、この場合、送風装置２０が第三駆動量Ｒ３にて駆動されたときと比べて、第二空間Ｓ２に導出される空気の湿度が低くなる。第一駆動量Ｒ１は、除湿モードＤＭ１において、第一空間Ｓ１の空気の温度が２５℃かつ湿度が５０％であるときに、第二空間Ｓ２に導出される空気の湿度を第四湿度Ｈ４にする駆動量である。
一方、除湿準備モードＤＭ２においては、目標湿度が第三湿度Ｈ３および第四湿度Ｈ４の両方において、送風装置２０は第二駆動量Ｒ２にて駆動される。
なお、各モードにおいて、調湿部３０への通電量および所定動作時間Ｔｓは一つの所定値に設定されている。
【００５４】
本第二実施形態によれば、制御装置８０は、第二空間Ｓ２に導出される空気の目標湿度を設定する目標湿度設定部１８３をさらに備え、加湿制御部８１は、第二空間Ｓ２に導出される加湿をされた空気の湿度を、目標湿度設定部１８３によって設定された目標湿度とするように、送風装置２０の駆動量を調整することによって、流路Ｌに導入された空気の量に対する流路Ｌに導入された空気に放出される水分の量を調節する第一水分量調整部１８１ａを備え、除湿制御部８２は、第二空間Ｓ２に導出される除湿をされた空気の湿度を、目標湿度設定部１８３によって設定された目標湿度とするように、送風装置２０の駆動量を調整することによって、流路Ｌに導入された空気の量に対する調湿部３０に吸着する流路Ｌに導入された空気の水分の量を調整する第二水分量調整部１８２ａを備えている。
これによれば、加湿制御部８１は、第一水分量調整部１８１ａによって、第二空間Ｓ２に導出される加湿をされた空気の湿度を目標湿度設定部１８３によって設定された目標湿度とするように調湿装置１を運転する。よって、目標湿度が、例えば使用者Ａの所望する湿度に設定されることにより、使用者Ａの快適感を向上させることができる。
【００５５】
次に、本発明による調湿装置１の第三実施形態について、主に上述した第二実施形態と異なる部分について、図１８および図１９を用いて説明する。本第三実施形態においては、調湿装置１は、上述した第二実施形態における入力部１９１に代えて、使用者Ａの睡眠情報を検出する睡眠情報検出部２９２を備えている。本第三実施形態において睡眠情報検出部２９２によって検出される睡眠情報は、覚醒状態、睡眠状態および睡眠状態における睡眠深さの状態である。睡眠情報検出部２９２は、荷重センサ２９２ａおよび睡眠情報判定部２９２ｂを備えている。睡眠情報判定部２９２ｂは、制御装置８０に構成されている。
【００５６】
荷重センサ２９２ａは、図１８に示すように脚部Ｂ２に配設され、マットレスＭ上の使用者Ａの荷重を検出するものである。マットレスＭ上の使用者Ａの体動によって、荷重センサ２９２ａによって検出される荷重が変動する。体動は、マットレスＭ上の使用者Ａの体の動きであり、例えば睡眠状態である使用者Ａの寝返りである。荷重センサ２９２ａは、例えば歪ゲージを含んで構成されている。荷重センサ２９２ａの検出結果は、睡眠情報判定部２９２ｂに出力される。
【００５７】
睡眠情報判定部２９２ｂは、図１９に示すように、体動数算出部２９２ｂ１、記憶部２９２ｂ２、睡眠状態判定部２９２ｂ３および睡眠深さ判定部２９２ｂ４を備えている。体動数算出部２９２ｂ１は、荷重センサ２９２ａの検出結果に基づいて、体動数Ｎｍを算出するものである。本第三実施形態において、体動数算出部２９２ｂ１は、第一所定時間（例えば２０秒）毎に、使用者Ａの体動の回数である体動数Ｎｍを算出する。具体的には、体動数算出部２９２ｂ１は、第一所定時間より短い第二所定時間（例えば１秒）内における荷重センサ２９２ａによって検出された荷重の最大値と最小値との差が体動有無判定値（例えば０．５Ｎ）以上である場合、「体動あり」と判定し、一方、荷重の変化の最大値が体動有無判定値より小さい場合、「体動なし」と判定する。そして、体動数算出部２９２ｂ１は、第一所定時間内に「体動あり」と判定された回数を体動数Ｎｍとして算出する。体動数算出部２９２ｂ１によって算出された体動数Ｎｍは、記憶部２９２ｂ２に時系列データとして記憶される。
【００５８】
記憶部２９２ｂ２は、体動数算出部２９２ｂ１によって算出された体動数Ｎｍを少なくとも記憶するものである。
睡眠状態判定部２９２ｂ３は、マットレスＭ上の使用者Ａが睡眠状態にあるか否かを第一所定時間毎に判定するものである。睡眠状態判定部２９２ｂ３は、マットレスＭ上の使用者Ａが睡眠状態であるか否かを、下記数式１に示す判定式から算出される値Ｚに基づいて判定する。判定式は、睡眠状態および覚醒状態における体動数Ｎｍの評価、並びに、人の脳波によって睡眠深さを評価可能な終夜睡眠時ポリグラフ検査（以下、ＰＳＧ検査とする。）を複数の被験者に対して予め実行し、例えば判別分析法を用いて導出されている。なお、人が睡眠状態である場合、睡眠が浅い状態と深い状態とを周期的（一般的に９０分毎）に繰り返す。
【００５９】
判別式は、例えば現時点において睡眠状態判定部２９２ｂ３による判定が行われる場合、現時点と、現時点から第一所定時間より長い第三所定時間（例えば６４０秒）前の時点との間にて体動数算出部２９２ｂ１によって算出されたそれぞれの体動数Ｎｍｉに、係数Ｃｉを乗じた値の合計に定数Ｃ０を加算するものである。ｉは添え字であり、１からｎ（例えばｎ＝３２）までの自然数である。
【００６０】
（数１）
値Ｚ＝Ｃ０＋Ｃ１×体動数Ｎｍ１＋Ｃ２×体動数Ｎｍ２＋Ｃ３×体動数Ｎｍ３
＋・・・・＋Ｃｎ×体動数Ｎｍｎ
【００６１】
マットレスＭ上の使用者Ａの体動数Ｎｍが比較的少なく、値Ｚがゼロ以下である場合、睡眠状態判定部２９２ｂ３は、使用者Ａが睡眠状態であると判定する。一方、値Ｚがゼロより大きい場合、睡眠状態判定部２９２ｂ３は、使用者Ａが覚醒状態であると判定する。睡眠状態判定部２９２ｂ３の判定結果は、記憶部２９２ｂ２に時系列データとして第一所定時間毎に記憶される。
【００６２】
睡眠深さ判定部２９２ｂ４は、体動数算出部２９２ｂ１によって算出された体動数Ｎｍ、および、睡眠状態判定部２９２ｂ３の判定結果に基づいて、第三所定時間より長い第四所定時間（例えば１５分）毎に、睡眠深さを判定するものである。睡眠深さ判定部２９２ｂ４は、現時点において睡眠状態判定部２９２ｂ３によって使用者Ａが睡眠状態であると判定された場合において、現時点から第四所定時間前の時点と現時点との間の体動数Ｎｍが体動数判定値（例えば１回）以下である場合、使用者Ａの睡眠深さが深い状態であると判定する。また、この場合において、睡眠深さ判定部２９２ｂ４は、現時点から第四所定時間前の時点と現時点との間の体動数Ｎｍが体動数判定値より大きい場合、使用者Ａの睡眠深さが浅い状態であると判定する。一方、睡眠深さ判定部２９２ｂ４は、現時点において睡眠状態判定部２９２ｂ３によって使用者Ａが覚醒状態であると判定された場合、睡眠深さの判定を行わない。睡眠深さ判定部２９２ｂ４によって判定された使用者Ａの睡眠深さの状態は、記憶部２９２ｂ２に時系列データとして記憶される。このように、記憶部２９２ｂ２には、睡眠状態判定部２９２ｂ３の判定結果である睡眠状態および覚醒状態、並びに、睡眠深さ判定部２９２ｂ４の判定結果である睡眠状態である使用者Ａの睡眠深さの状態が時系列データとして記憶される。
【００６３】
本第三実施形態の目標湿度設定部２８３は、睡眠情報検出部２９２によって検出された睡眠情報に基づいて、目標湿度を設定する。目標湿度設定部２８３は、加湿モードＨＭ１において、睡眠情報検出部２９２によって検出された睡眠情報が、使用者Ａが覚醒状態である場合、使用者Ａが覚醒状態から睡眠状態に移行する入眠状態である場合、および、使用者Ａが睡眠状態から覚醒状態に移行する状態である場合、目標湿度を第二湿度Ｈ２より高い湿度である第一湿度Ｈ１に設定する。入眠状態は、本第三実施形態において、睡眠状態判定部２９２ｂ３の判定結果が覚醒状態から睡眠状態になった時点から、使用者Ａの睡眠深さが深い状態であると睡眠深さ判定部２９２ｂ４によって最初に判定される時点までの状態である。また、睡眠状態から覚醒状態に移行する状態は、本第三実施形態において、使用者Ａの睡眠深さが深い状態であると睡眠深さ判定部２９２ｂ４によって判定された回数が３回に達した時点から、睡眠状態判定部２９２ｂ３の判定結果が睡眠状態から覚醒状態になる時点までの状態である。一方、目標湿度設定部２８３は、例えば、加湿モードＨＭ１において、使用者Ａが上述した状態以外の状態（使用者Ａの睡眠深さが深い状態であると睡眠深さ判定部２９２ｂ４によって最初に判定された時点から、使用者Ａの睡眠深さが深い状態であると睡眠深さ判定部２９２ｂ４によって判定された回数が３回に達する時点までの状態）である場合、目標湿度を第二湿度Ｈ２に設定する。これにより、調湿装置１は、例えば使用者Ａが睡眠状態から覚醒状態に移行している状態である場合、第二空間Ｓ２に導出される空気の湿度を比較的高い湿度に調整する。
【００６４】
本第三実施形態によれば、調湿装置１は、使用者Ａの睡眠情報を検出する睡眠情報検出部２９２をさらに備え、目標湿度設定部２８３は、睡眠情報検出部２９２によって検出された睡眠情報に基づいて、目標湿度を設定する。
これによれば、使用者Ａが睡眠状態である場合においても、第二空間Ｓ２の空気の調湿を適切に行うことができ、使用者Ａの快適感を向上させることができる。
【００６５】
次に、本発明による調湿装置１の第四実施形態について、主に上述した第二実施形態と異なる部分について、図２０を用いて説明する。本第四実施形態においては、調湿装置１は、上述した第二実施形態における入力部１９１に代えて、使用者Ａの肌情報を検出する肌情報検出部３９３を備えている。本第四実施形態において肌情報検出部３９３によって検出される肌情報は、使用者Ａの肌の水分量の状態である。肌情報検出部３９３は、肌情報センサ３９３ａおよび肌情報判定部３９３ｂを備えている。肌情報判定部３９３ｂは、制御装置８０に構成されている。
【００６６】
肌情報センサ３９３ａは、一対の電極（図示なし）を有している。肌情報センサ３９３ａは、一対の電極を使用者Ａの肌に接触させて、生体電気インピーダンス測定を行うことで、肌のインピーダンスを検出する。肌情報センサ３９３ａによって検出された肌のインピーダンスは、肌情報判定部３９３ｂに出力される。
【００６７】
肌情報判定部３９３ｂは、肌情報センサ３９３ａによって検出された肌のインピーダンスから、第三マップ（図示なし）に基づいて、使用者Ａの肌の水分量が、標準より少ない状態、標準状態および標準より多い状態のうち何れの状態であるかを判定する。第三マップは、制御装置８０に予め記憶され、肌情報センサ３９３ａによって検出された肌のインピーダンスと、肌の水分量の状態との相関を示すものであり、複数の被験者の肌の水分量を予め実測することにより導出されている。肌の水分量の状態の判定結果は、目標湿度設定部３８３に出力される。
【００６８】
本第四実施形態の目標湿度設定部３８３は、肌情報判定部３９３ｂによって判定された肌の水分量の状態に基づいて、目標湿度を設定する。目標湿度設定部３８３は、肌情報判定部３９３ｂによって判定された肌の水分量の状態が、標準より少ない状態である場合、例えば加湿モードＨＭ１にて、目標湿度を第二湿度Ｈ２より高い湿度である第一湿度Ｈ１に設定する。また、目標湿度設定部３８３は、肌情報判定部３９３ｂによって判定された肌の水分量の状態が、標準状態および標準より多い状態である場合、目標湿度を第二湿度Ｈ２に設定する。
【００６９】
本第四実施形態によれば、調湿装置１は、使用者Ａの肌情報を検出する肌情報検出部３９３をさらに備え、目標湿度設定部３８３は、肌情報検出部３９３によって検出された肌情報に基づいて、目標湿度を設定する。
これによれば、使用者Ａの肌の水分量が標準より少ない場合、調湿装置１は、第二空間Ｓ２に導出される空気の湿度を、例えば比較的高い湿度に調整する。よって、使用者Ａの肌の状態を良好に保つことができる。
【００７０】
次に、本発明による調湿装置１の第五実施形態について、主に上述した第二実施形態と異なる部分について、図２１を用いて説明する。本第五実施形態においては、調湿装置１は、上述した第二実施形態における入力部１９１に代えて、使用者Ａの呼吸情報を検出する呼吸情報検出部４９４を備えている。本第五実施形態において呼吸情報検出部４９４によって検出される呼吸情報は、使用者Ａの咳である。呼吸情報検出部４９４は、荷重センサ４９４ａ、呼吸情報算出部４９４ｂおよび呼吸情報判定部４９４ｃを備えている。呼吸情報算出部４９４ｂおよび呼吸情報判定部４９４ｃは、制御装置８０に構成されている。
【００７１】
荷重センサ４９４ａは、脚部Ｂ２に配設され、マットレスＭ上の使用者Ａの荷重を検出するものである。マットレスＭ上の使用者Ａの呼吸によって、荷重センサ４９４ａによって検出される荷重が変動する。荷重センサ４９４ａは、例えば歪ゲージを含んで構成されている。荷重センサ４９４ａの検出結果は、呼吸情報算出部４９４ｂに出力される。
【００７２】
呼吸情報算出部４９４ｂは、荷重センサ４９４ａの検出結果をフィルタリングするとともに、フィルタリングによって得られた呼吸情報に基づいて、使用者Ａの呼吸周期を、一呼吸毎に算出する。また、呼吸情報算出部４９４ｂは、一呼吸における荷重の変位の最大値である呼吸振幅を一呼吸毎に算出する。呼吸情報算出部４９４ｂによって算出された呼吸周期および呼吸振幅は、呼吸情報判定部４９４ｃに出力される。
【００７３】
呼吸情報判定部４９４ｃは、呼吸情報算出部４９４ｂによって算出された呼吸周期および呼吸振幅から使用者Ａが咳をしたか否かを判定する。呼吸情報判定部４９４ｃは、呼吸周期が呼吸周期判定値（たとえば１秒）以下であり、かつ、呼吸振幅が呼吸振幅判定値（例えば１Ｎ）以上である場合、使用者Ａが咳をしたと判定する。一方、呼吸情報判定部４９４ｃは、呼吸周期が呼吸周期判定値より大きい、または、呼吸振幅が呼吸振幅判定値より小さい場合、使用者Ａが咳をしていないと判定する。呼吸情報判定部４９４ｃの判定結果は、目標湿度設定部４８３に出力される。
【００７４】
本第五実施形態の目標湿度設定部４８３は、呼吸情報検出部４９４によって検出された呼吸情報に基づいて、目標湿度を設定する。目標湿度設定部４８３は、呼吸情報検出部４９４によって使用者Ａが咳をしていると検出した場合、例えば加湿モードＨＭ１にて目標湿度を第二湿度Ｈ２より高い第一湿度Ｈ１に設定する。この場合、加湿制御部８１は、例えば、呼吸情報検出部４９４によって使用者Ａが咳をしていると検出した時点から第五所定時間（例えば１０分）継続して目標湿度設定部４８３によって設定された目標湿度を変更せずに、第二空間Ｓ２の加湿を行う。
【００７５】
本第五実施形態によれば、調湿装置１は、使用者Ａの呼吸情報を検出する呼吸情報検出部４９４をさらに備え、目標湿度設定部４８３は、呼吸情報検出部４９４によって検出された呼吸情報に基づいて、目標湿度を設定する。
これによれば、ベッドＢにて睡眠状態である使用者Ａが咳をした場合に、調湿装置１は、第二空間Ｓ２に導出される空気の湿度を、例えば比較的高い湿度に調整する。よって、使用者Ａの呼吸状態を良好な状態にすることができる。
【００７６】
次に、本発明による調湿装置１の第六実施形態について、主に上述した第一実施形態と異なる部分について、図２２を用いて説明する。本第六実施形態においては、調湿装置１は、使用者Ａの呼吸状態を検出する呼吸状態検出部５９５を備えている。本第六実施形態において呼吸状態検出部５９５によって検出される呼吸状態は、使用者Ａが息を吸っている状態である吸気状態および使用者Ａが息を吐いている状態である呼気状態である。呼吸状態検出部５９５は、荷重センサ５９５ａおよび呼吸状態算出部５９５ｂを備えている。呼吸状態算出部５９５ｂは、制御装置８０に構成されている。
【００７７】
また、上述した第一実施形態において、加湿制御部８１は、加湿モードＨＭ１と加湿準備モードＨＭ２とを所定動作時間Ｔｓ毎に交互に運転している。これに対し、本第六実施形態においては、加湿制御部８１は、加湿をされた空気を導出するタイミングを制御する導出タイミング制御部５８１ｂをさらに備え、導出タイミング制御部５８１ｂによって、加湿モードＨＭ１と加湿準備モードＨＭ２との切替を行う。
【００７８】
荷重センサ５９５ａは、上述した第五実施形態と同様に、マットレスＭ上の使用者Ａの荷重を検出するものである。荷重センサ５９５ａの検出結果は、呼吸状態算出部５９５ｂに出力される。
呼吸状態算出部５９５ｂは、荷重センサ５９５ａの検出結果をフィルタリングするとともに、フィルタリングによって得られた呼吸情報に基づいて、使用者Ａが呼気状態であるか吸気状態であるかを検出する。具体的には、呼吸状態算出部５９５ｂは、フィルタリングによって得られた呼吸情報において、荷重が減少している場合、使用者Ａが呼気状態であり、荷重が増加している場合、使用者Ａが吸気状態であると検出する。呼吸状態検出部５９５の検出結果は、導出タイミング制御部５８１ｂに導出される。
【００７９】
導出タイミング制御部５８１ｂは、加湿をされた空気を導出するタイミングを制御するものである。導出タイミング制御部５８１ｂは、呼吸状態検出部５９５によって使用者Ａが吸気状態であると検出された場合、加湿をされた空気を第二空間Ｓ２に導出する。すなわち、使用者Ａが吸気状態である場合、加湿制御部８１は、加湿モードＨＭ１にて調湿装置１の運転を行う。一方、導出タイミング制御部５８１ｂは、呼吸状態検出部５９５によって使用者Ａが呼気状態であると検出された場合、加湿をされた空気を第二空間Ｓ２に導出することを制限する。すなわち、使用者Ａが呼気状態であるこの場合、加湿制御部８１は、加湿準備モードＨＭ２にて調湿装置１の運転を行う。
【００８０】
本第六実施形態によれば、調湿装置１は、使用者Ａの呼吸状態のうち使用者Ａが息を吸っている状態である吸気状態および使用者Ａが息を吐いている状態である呼気状態を検出する呼吸状態検出部５９５をさらに備え、加湿制御部８１は、呼吸状態検出部５９５によって使用者Ａが吸気状態であると検出された場合、加湿をされた空気を第二空間Ｓ２に導出し、呼吸状態検出部５９５によって使用者Ａが呼気状態であると検出された場合、加湿をされた空気を第二空間Ｓ２に導出することを制限するように、加湿をされた空気を導出するタイミングを制御する導出タイミング制御部５８１ｂをさらに備えている。
これによれば、加湿制御部８１は、導出タイミング制御部５８１ｂによって、使用者Ａが息を吸う吸気状態である場合にのみ、加湿をされた空気を第二空間Ｓ２に導出する。よって、加湿制御部８１が所定動作時間Ｔｓ毎に加湿モードＨＭ１と加湿準備モードＨＭ２とを切り替える場合に比べ、使用者Ａの体内に供給される水分量を多くすることができるため、使用者Ａの呼吸器の乾燥を抑制することができる。また、調湿部３０に吸着させる水分量を、使用者Ａの呼吸器の乾燥を抑制するために必要な最低限の水分量にすることで、調湿部３０ひいては調湿装置１の小型化を図ることができる。
【００８１】
次に、本発明による調湿装置１の第七実施形態について、主に上述した第一実施形態と異なる部分について、図２３および図２４を用いて説明する。本第七実施形態においては、調湿装置１は、頭部位置検出部６９６ａ、導出方向制御部６９６ｂおよび第二空間Ｓ２に導出される調湿された空気の方向を調整する導出方向調整部６９６ｃを備えている。頭部位置検出部６９６ａは、使用者Ａの頭部の位置を検出するものである。頭部位置検出部６９６ａは、カメラ６９６ａ１および解析部６９６ａ２を備えている。導出方向制御部６９６ｂおよび解析部６９６ａ２は、制御装置８０に構成されている。
【００８２】
カメラ６９６ａ１は、ヘッドボード部Ｂ３に配設され、第二空間Ｓ２を被写体として撮影するものである。カメラ６９６ａ１によって撮影された画像は、解析部６９６ａ２に出力される。
解析部６９６ａ２は、カメラ６９６ａ１によって撮影された画像を解析して、第二空間Ｓ２における使用者Ａの頭部の位置を導出するものである。
【００８３】
導出方向制御部６９６ｂは、解析部６９６ａ２によって導出された使用者Ａの頭部の位置に向けて、調湿をされた空気を導出するように導出方向調整部６９６ｃを制御するものである。
導出方向調整部６９６ｃは、ヘッドボード部Ｂ３の貫通穴Ｂ３ａに配設されている。導出方向調整部６９６ｃは、回動可能な複数のルーバー６９６ｃ１およびルーバー６９６ｃ１を回動させるモータ（例えばステッピングモータ；図示なし）を備えている。ルーバー６９６ｃ１がモータによって回動されることにより、第二空間Ｓ２に導出される空気の導出方向が変更される。
【００８４】
制御装置８０は、カメラ６９６ａ１および解析部６９６ａ２によってマットレスＭ上の使用者Ａの頭部の位置を検出し、導出方向制御部６９６ｂによって導出方向調整部６９６ｃのモータの駆動量を調節することにより、ルーバー６９６ｃ１の回動量を調整して、加湿制御部８１または除湿制御部８２によって調湿された空気を使用者Ａの頭部に向けて導出する。
【００８５】
本第七実施形態によれは、調湿装置１は、使用者Ａの頭部の位置を検出する頭部位置検出部６９６ａと、第二空間Ｓ２に導出される空気の方向を調整する導出方向調整部６９６ｃと、をさらに備え、制御装置８０は、導出方向調整部６９６ｃによって第二空間Ｓ２に導出される空気の方向を、頭部位置検出部６９６ａによって検出された使用者Ａの頭部に向かう方向とするように調節する導出方向制御部６９６ｂをさらに備えている。
これによれば、就寝中の使用者Ａが寝返りをして移動した場合においても、導出方向制御部６９６ｂは、加湿制御部８１または除湿制御部８２によって調湿された空気を使用者Ａの頭部に向けて導出する。よって、調湿装置１は、調湿された空気を使用者Ａの周囲に適切に導出することができる。
【００８６】
次に、本発明の第八実施形態に係る調湿装置１について、主に上述した第一実施形態と異なる部分について、図２５を用いて説明する。調湿装置１は、使用者Ａの両目を覆うゴーグルＧ（本発明の被覆部に相当）に取り付けられている。本第八実施形態においては、ゴーグルＧ内側の空間が第二空間Ｓ２に相当する。ゴーグルＧには、ゴーグルＧ内側とゴーグルＧ外側とを連通する連通穴Ｇ１が二つ形成されている。
【００８７】
また、調湿装置１は、ケース７１０、送風装置７２０、二つの調湿部７３０、通電部７４０、第一遮断装置７６０、第二遮断装置７７０および制御装置７８０を備えている。本第八実施形態における調湿装置１は、熱交換部を備えていない。
ケース７１０は、流路Ｌを有し、左右方向に延びる筒状に形成され、第一連通部７１１、第二連通部７１２および第三連通部７１３が形成されている。第一連通部７１１は、ケース７１０の一端（図２５の右側）にて第一空間Ｓ１に向けて開口する。第二連通部７１２は、ケース７１０の側壁に二つ形成され、連通穴Ｇ１にそれぞれ連通するように開口する。なお、第二連通部７１２は、フィルム３１によって覆われている。第三連通部７１３は、ケース７１０の他端（図２５の左側）にて第三空間Ｓ３に向けて開口する。
【００８８】
送風装置７２０は、二つの第二連通部７１２の間に配設されている。二つの調湿部７３０は、それぞれ流路Ｌにおける第二連通部７１２が形成された位置に、流路Ｌに導入された空気が流通するように配設されている。通電部７４０は、二つの調湿部７３０と電源７４２とを電気的に直列に接続している。第一遮断装置７６０は、第一蓋部７６１がケース７１０の内側にて回動するように、第一連通部７１１に配設されている。第二遮断装置７７０は、第二蓋部７７１がケース７１０の外側にて回動するように、第三連通部７１３に配設されている。連通部７１１，７１３を連通状態とするように蓋部７６１，７７１が回動した状態を図２５に破線にて示されている。また、連通部７１１，７１３を遮断状態にしている蓋部７６１，７７１が図２５に実線にて示されている。
【００８９】
加湿制御部８１は、加湿モードＨＭ１にて調湿装置１の運転を行う場合、送風装置７２０を停止して、通電部７４０によって調湿部７３０を通電状態にする。これにより、各遮断装置７６０，７７０が遮断状態となり、調湿部７３０から流路Ｌ内の空気に調湿部７３０に吸着している水分が放出されるため、流路Ｌ内の湿度が高くなる。ここで、導電性高分子によって形成されたフィルム３１は、水分を通過させる。よって、調湿部７３０から放出された水分は、第二連通部７１２を介して、流路Ｌ内より湿度が低い、すなわち、水分の密度が低いゴーグルＧ内側に流出する。これにより、ゴーグルＧ内側の第二空間Ｓ２が加湿されるため、使用者Ａの目が加湿される。
【００９０】
一方、加湿制御部８１は、加湿準備モードＨＭ２にて調湿装置１の運転を行う場合、送風装置７２０を第一駆動量Ｒ１にて駆動して、通電部７４０によって調湿部７３０を非通電状態にする。これにより、各蓋部７６１，７７１が回動することにより各連通部７１１，７１３が連通状態となり、第一空間Ｓ１の空気が第一連通部７１１を介して流路Ｌに導入されて、調湿部７３０を流通する。このとき、流路Ｌに導入された空気の水分が調湿部７３０に吸着する。そして、調湿部７３０を通過した空気が第三連通部７１３を介して第三空間Ｓ３に導出される。なお、導電性高分子材料を用いて形成されたフィルム３１は、水分を通過させるが、空気を通過させない。よって加湿準備モードＨＭ２にて調湿装置１が運転されている場合、流路Ｌに導入された空気が第二連通部７１２を介してゴーグルＧ内側に導出されない。
【００９１】
本第八実施形態によれば、調湿装置１は、使用者Ａの目を覆うゴーグルＧをさらに備え、第二空間Ｓ２は、ゴーグルＧ内側の空間である。
これによれば、調湿装置１は、使用者Ａによる水分の供給が不要であるため、使用者Ａによる水分の供給が必要な、一般的な加湿装置に比べて、使用者Ａの目を簡便に加湿することができる。
【００９２】
次に、上述した各実施形態の第一変形例について説明する。本第一変形例においては、調湿装置１は、一対の電極によって構成された第一放電部（図示なし）をさらに備えている。第一放電部は、流路Ｌに配設され、放電することにより、電極間を流通する流路Ｌに導入された空気からオゾンを生成するものである。第一放電部のオゾン発生方式は、無声放電方式である。第一放電部によって生成されたオゾンは、流路Ｌに導入された空気に含まれる雑菌、ウイルス等を死滅させる。
【００９３】
本第一変形例によれば、調湿装置１は、流路Ｌに配設され、放電することにより流路Ｌに導入された空気からオゾンを生成する第一放電部をさらに備えている。
これによれば、第二空間Ｓ２に導出される調湿された空気の清潔性を向上させることができる。
【００９４】
次に、上述した各実施形態の第二変形例について、主として第一実施形態と異なる点について説明する。上述した各実施形態における送風装置２０は、一個のみ構成されているが、本第二変形例においては、送風装置が二個構成され、図２６に示すように、第一連通部１１に第一送風装置８２１および第二連通部１２に第二送風装置８２２が配設されている。また、上述した各実施形態における送風装置２０は、軸流ファンによって構成されているが、これに代えて、本第二変形例においては、一対の電極によって構成された第二放電部によって構成されている。第二放電部は、針金状に形成されたカソード電極８２１ａ，８２２ａおよび貫通穴を有する円板状に形成されたアノード電極８２１ｂ，８２２ｂを備えている。第二放電部の放電によりビーフェルドーブラウン効果によるイオン風が生成される。イオン風は、第二放電部の放電により電極間の空気がイオン化されて、イオン化した空気がカソード電極８２１ａ，８２２ａ側からアノード電極８２１ｂ，８２２ｂ側に移動することにより生じる（図２７参照）。このイオン風によって、流路Ｌ内の空気を流通させることができる。
【００９５】
各送風装置８２１，８２２は、連通部１１，１２にアノード電極８２１ｂ，８２２ｂが配設され、流路Ｌ内から連通部１１，１２に向かって放電するように流路内にカソード電極８２１ａ，８２２ａが配設されている。これにより、第一送風装置８２１が駆動することにより、流路Ｌの空気がイオン風によって第一連通部１１を介して第一空間Ｓ１に導出される。一方、第二送風装置８２２が駆動することにより、流路Ｌの空気が第二連通部１２を介して第二空間Ｓ２に導出される。すなわち、加湿制御部８１は、加湿モードＨＭ１または除湿モードＤＭ１において、流路Ｌ内の圧力値が第一圧力値となるように第二送風装置８２２を駆動する。これにより、第一空間Ｓ１の空気が流路に導入されるとともに調湿部３０によって調湿されて、第二空間Ｓ２に導出される。一方、加湿制御部８１は、加湿準備モードＨＭ２および除湿準備モードＤＭ２において、流路内の圧力値が第二圧力値となるように第一送風装置８２１を駆動する。これにより、第三空間Ｓ３の空気が流路に導入されて、第一空間Ｓ１に導出される。
【００９６】
本第二変形例によれば、送風装置８２１，８２２は、放電することにより生成されるイオン風によって、第一空間Ｓ１の空気を流路Ｌに導入し、流路Ｌに導入された空気を第二空間Ｓ２に導出する第二放電部を備えている。
これによれば、送風装置８２１，８２２を一対の電極によって構成された第二放電部によって形成することができるため、送風装置８２１，８２２ひいては調湿装置１の小型化を図ることができる。
【００９７】
次に、上述した各実施形態の第三変形例について、主として第一実施形態と異なる点について説明する。本第三変形例における調湿装置１は、成分供給部（図示なし）をさらに備えている。成分供給部は、流路Ｌに配設され、例えば不織布を用いて形成されている。成分供給部は、芳香成分、除菌成分、消臭成分および美容成分のうち何れか一つの成分を含んでいる。芳香成分は、例えば使用者Ａが所望する香りを有する香料である。除菌成分は、例えばエタノールである。消臭成分は、例えばカテキンである。美容成分は、例えばセラミドである。成分供給部に含まれた成分は、流路Ｌに導入された空気に放出されるため、加湿モードＨＭ１および除湿モードＤＭ１において、調湿された空気とともに第二空間Ｓ２に導出される。なお、成分供給部に、芳香成分、除菌成分、消臭成分および美容成分のうち何れか複数の成分を含むようにしても良い。
【００９８】
本第三変形例によれば、調湿装置１は、流路に配設され、芳香成分、除菌成分、消臭成分および美容成分のうち何れか一つまたは複数の成分を流路に導入された空気に供給する成分供給部をさらに備えている。
これによれば、成分供給部は、第二空間Ｓ２に導出される空気に、例えば使用者Ａが所望する香りを付加することができる。よって、使用者Ａの快適感を向上させることができる。
【００９９】
次に、上述した各実施形態の第四変形例について説明する。本第四変形例における調湿装置１の制御装置８０は、温度調節部（図示なし）をさらに備えている。温度調節部は、調湿部３０の温度を、雑菌、ウイルスおよび花粉のうち少なくとも何れか一つが死滅する所定温度以上となるように調節する。所定温度は、花粉が死滅する第二温度（およそ６０℃）または雑菌およびウイルスが死滅する第三温度（およそ７５度）である。温度調節部は、例えば通電部４０によって調湿部３０への通電時間を調整することにより、調湿部３０の温度を所定温度にする。調湿部３０の温度が第三温度になっている場合、調湿部３０を流通する空気に含まれる雑菌、ウイルスおよび花粉が死滅する。
【０１００】
本第四変形例によれば、制御装置８０は、通電部４０によって調湿部３０の通電量を調整することにより、調湿部３０の温度を、流路Ｌに導入された空気に含まれる雑菌、ウイルスおよび花粉のうち少なくとも何れか一つが死滅する所定温度以上となるように調節する温度調節部をさらに備えている。
これによれば、制御装置８０は、調湿部３０を流通する空気に含まれる雑菌等を死滅させることができるため、加湿モードＨＭ１および除湿モードＤＭ１において、第二空間Ｓ２に導出される空気の清潔性を向上させることができる。
【０１０１】
次に、上述した各実施形態の第五変形例について、主として第二実施形態と異なる点について図２８を用いて説明する。本第二実施形態の変形例においては、調湿装置１は、流路Ｌに配設され、第二空間Ｓ２に導出される空気の湿度を検出する湿度センサ９９７をさらに備えている。湿度センサ９９７によって検出された湿度は、各水分量調整部１８１ａ，１８２ａに送信される。本第五変形例における各水分量調整部１８１ａ，１８２ａは、湿度センサ９９７によって検出される湿度を、目標湿度設定部１８３によって設定された目標湿度とするように、送風装置２０を制御する。各水分量調整部１８１ａ，１８２ａは、湿度センサ９９７によって検出される湿度と目標湿度設定部１８３によって設定された目標湿度との差分に基づいて、送風装置２０に対するフィードバック量（送風装置２０の駆動量）を制御指令値として算出して、送風装置２０に出力する。また、本第五変形例おいては、目標湿度を、例えば０〜１００％の間にて１０％刻みにて設定可能とするようにしても良い。また、この本第五実施形態の場合、調湿部３０への通電量を変更することにより、流路Ｌに導入された空気の湿度を調整するようにしても良い。この場合、通電部４０は、例えば、通電量を調整可能とする電力調整器（例えば、可変抵抗器；図示なし）をさらに備えるようにする。第一水分量調整部１８１ａは、目標湿度が第一湿度Ｈ１である場合、目標湿度が第一湿度Ｈ１より低い第二湿度Ｈ２である場合に比べて調湿部３０への通電量を増加させるように通電部４０を制御する。
【０１０２】
次に、上述した第一実施形態乃至第七実施形態の第一変形例について、主として第一実施形態と異なる点について図２９を用いて説明する。本第一変形例の調湿装置１は、第三連通部１３および各遮断装置６０，７０を備えていない。すなわち、流路Ｌは、第一空間Ｓ１および第二空間Ｓ２と常に接続している。また、加湿準備モードＨＭ２および除湿準備モードＤＭ２において、第二空間Ｓ２の空気が流路に導入され、第一空間Ｓ１に導出される。
【０１０３】
次に、上述した第一実施形態乃至第七実施形態の第二変形例について、主として第一実施形態と異なる点について図３０乃至図３２を用いて説明する。本第二変形例の調湿装置１は、上述した第一実施形態における第一遮断装置６０および第二遮断装置７０に代えて、第三遮断装置１０６０（本発明の第一遮断部に相当）および第四遮断装置１０７０（本発明の第二遮断部に相当）を備えている。第三遮断装置１０６０は、第二連通部１０１２に配設され、第二連通部１０１２を連通状態または遮断状態にするものである。本第二変形例においては、図３０に示すように、ケース１０の一部が貫通穴Ｂ３ａに嵌るように形成され、また、第二連通部１０１２を形成された側壁が、図３１に示すように、上方から下方に向かうにしたがって、前方から後方に傾斜するように形成されている。第三遮断装置１０６０は、ケース１０の内側から第二連通部１０１２を覆うように形成された板状の第三蓋部１０６１、および、第三蓋部１０６１を回動可能に支持する第三ヒンジ部１０６２を備えている。第三蓋部１０６１は、流路Ｌ内の圧力値が第一遮断圧力値と第二遮断圧力値との間の第三遮断圧力値より小さい場合、自重により第二連通部１０１２を連通状態（図３０および図３１に破線にて示す）にする。一方、第三蓋部１０６１は、流路Ｌ内の圧力値が第三遮断圧力値以上である場合、図３１に示すように反時計周りに回動して、第二連通部１０１２を遮断状態にする（図３１および図３２に実線にて示す）。第三遮断圧力値は正圧に設定されている。
【０１０４】
第四遮断装置１０７０は、第三連通部１３に配設され、第三連通部１３を連通状態または遮断状態にするものである。第四遮断装置１０７０は、図３０に示すように、ケース１０の外側から第三連通部１３を覆う板状の第四蓋部１０７１、および、第四蓋部１０７１を回動可能に支持する第四ヒンジ部（図示なし）を備えている。第四蓋部１０７１は、流路Ｌ内の圧力値が第一遮断圧力値以下である場合、自重により第三連通部１３を遮断状態（図３０に実線にて示す）にする。一方、第四蓋部１０７１は、流路Ｌ内の圧力値が第一遮断圧力値より大きい場合、回動することにより第三連通部１３を連通状態（図３２に破線にて示す）にする。第一遮断圧力値は正圧に設定されている。
【０１０５】
また、本第二変形例において、第二連通部１０１２を連通状態かつ第三連通部１３を遮断状態にする流路Ｌ内の圧力値である第一圧力値は、正圧かつ第三遮断圧力値より小さい圧力値に設定されている。また、第二連通部１０１２を遮断状態かつ第三連通部１３を連通状態にする流路Ｌ内の圧力値である第二圧力値は、第一遮断圧力値より大きい圧力値に設定されている。加湿モードＨＭ１および除湿モードＤＭ１にて調湿装置１が運転される場合、送風装置２０は、流路Ｌ内の圧力値が第一圧力値となる駆動されるため、第一空間Ｓ１の空気が第一連通部１１から流路Ｌに導入されて第二空間Ｓ２に導出される。一方、加湿準備モードＨＭ２および除湿準備モードＤＭ２にて調湿装置１が運転される場合、送風装置２０は、流路Ｌ内の圧力値が第二圧力値となる駆動されるため、第一空間Ｓ１の空気が第一連通部１１から流路Ｌに導入されて第三空間Ｓ３に導出される。なお、このように第一圧力値および第二圧力値が設定されることにより、加湿モードＨＭ１における送風装置２０の駆動方向と加湿準備モードＨＭ２における送風装置２０の駆動方向とが同じになる。
【０１０６】
本第二変形例によれば、流路Ｌは、流路Ｌと第一空間Ｓ１とを連通する第一連通部１１と、流路Ｌと第二空間Ｓ２とを連通する第二連通部１０１２と、第二連通部１２と調湿部３０との間にて流路Ｌと第三空間Ｓ３とを連通する第三連通部１３と、をさらに備えている。調湿装置１は、第二連通部１０１２に配設され、流路Ｌ内の圧力値に応じて第二連通部１０１２を連通状態または遮断状態にする第三遮断装置１０６０と、第三連通部１３に配設され、流路Ｌ内の圧力値に応じて第三連通部１３を連通状態または遮断状態にする第四遮断装置１０７０と、をさらに備えている。加湿制御部８１は、加湿モードＨＭ１において、送風装置２０の駆動量を調整することにより、流路Ｌ内の圧力値を、第二連通部１０１２を連通状態かつ第三連通部１３を遮断状態にする流路Ｌ内の圧力値である第一圧力値にして第一空間Ｓ１の空気を流路Ｌに導入する。加湿制御部８１は、送風装置２０の駆動量を調整することにより、流路Ｌ内の圧力値を、第二連通部１０１２を遮断状態かつ第三連通部１３を連通状態にする流路Ｌ内の圧力値である第二圧力値にして、第一空間Ｓ１の空気を流路Ｌに導入し、かつ、通電部４０によって調湿部３０を非通電状態にして、流路Ｌに導入された空気の水分を調湿部３０に吸着させて加湿を行うための準備を行う加湿準備モードＨＭ２をさらに備えている。除湿制御部８２は、除湿モードＤＭ１において、送風装置２０の駆動量を調整することにより、流路Ｌ内の圧力値を第一圧力値にして、第一空間Ｓ１の空気を流路Ｌに導入する。除湿制御部８２は、送風装置２０の駆動量を調整することにより、流路Ｌ内の圧力値を第二圧力値にして、第一空間Ｓ１の空気を流路Ｌに導入し、かつ、通電部４０によって調湿部３０を通電状態にして、調湿部３０に吸着している水分を流路Ｌに導入された空気に放出させて除湿を行うための準備を行う除湿準備モードＤＭ２をさらに備えている。
【０１０７】
次に、上述した第一実施形態乃至第七実施形態の第三変形例について、主として第一実施形態と異なる点について図３３および図３４を用いて説明する。本第三変形例においては、調湿装置１は、建物の外壁Ｗに固定されている。外壁Ｗには、二つの貫通穴Ｗ１が形成されている。調湿装置１は、ケース１０の第一連通部１１が形成された一端部の側壁に第四連通部１１１４が形成されている。また、送風装置２０は、第四連通部１１１４より第三連通部１３側に配設されている。そして、第二連通部１２および第四連通部１１１４は貫通穴Ｗ１を介して第二空間Ｓ２である建物内部の空間である第二空間Ｓ２に連通する。また、第一空間Ｓ１および第三空間Ｓ３は建物外部の空間である。
【０１０８】
また、調湿装置１は、上述した第一実施形態の第一遮断装置６０および第二遮断装置７０に代えて、第五遮断装置１１６０（本発明の第一遮断部に相当）および第六遮断装置１１７０（本発明の第二遮断部に相当）を備えている。第五遮断装置１１６０は、第一連通部１１および第四連通部１１１４を連通状態または遮断状態にするものである。第六遮断装置１１７０は、第二連通部１２および第三連通部１３を連通状態または遮断状態にするものである。各遮断装置１１６０，１１７０は、それぞれの連通部１１，１２，１３，１１４０を覆う蓋部１１６１，１１７１および蓋部１１６１，１１７１を回動可能に支持するヒンジ部１１６２，１１７２を備えている。また、本第三変形例の蓋部１１６１，１１７１は、制御装置８０から制御指令値にしたがって駆動するモータ（例えばステッピングモータ；図示なし）によって駆動する。
【０１０９】
加湿制御部８１が加湿モードＨＭ１にて調湿装置１の運転を行う場合、および、除湿制御部８２が除湿モードＤＭ１にて調湿装置１の運転を行う場合、図３３に示すように、第五遮断装置１１６０は、第四連通部１１１４を連通状態かつ第一連通部１１を遮断状態とするように駆動される。また、この場合、第六遮断装置１１７０は、第二連通部１２を連通状態かつ第三連通部１３を遮断状態とするように駆動される。これにより、第二空間Ｓ２の空気が第四連通部１１１４を介して流路Ｌに導入され、調湿された空気が第二連通部１２を介して第二空間Ｓ２に導出される。
【０１１０】
一方、加湿制御部８１が加湿準備モードＨＭ２にて調湿装置１の運転を行う場合、および、除湿制御部８２が除湿準備モードＤＭ２にて調湿装置１の運転を行う場合、図３４に示すように、第五遮断装置１１６０は、第四連通部１１１４を遮断状態かつ第一連通部１１を連通状態とするようにモータによって駆動される。また、この場合、第六遮断装置１１７０は、第二連通部１２を遮断状態かつ第三連通部１３を連通状態とするように駆動される。これにより、第三空間Ｓ３の空気が第三連通部１３を介して流路Ｌに導入され、調湿された空気が第一連通部１１を介して第一空間Ｓ１に導出される。
【０１１１】
次に、上述した第一実施形態乃至第七実施形態の第四変形例について、主として第一実施形態と異なる点について説明する。上述した第一実施形態の熱交換部５０の潜熱蓄熱材５１ａおける融解点は、一般家庭の室温Ｔｒ以上の第一融解温度ＭＰ１（およそ４０℃）に設定されている（図７参照）。これに対し、本第四変形例の潜熱蓄熱材５１ａにおける融解点は、第一融解温度ＭＰ１より低い第二融解温度ＭＰ２に設定されている。第二融解温度ＭＰ２は、一般家庭における夏季の空調装置（例えばエアコン）使用時の室温（およそ２６℃）である。
【０１１２】
このように融解点を設定することにより、第二空間Ｓ２に導出される調湿された空気の温度を、室温Ｔｒに応じて変化させることができる。具体的には、例えば、冬季において、室温Ｔｒが１５℃である場合、調湿装置１が作動していない状態においては、熱交換部５０の温度においても室温Ｔｒと同じ１５℃になっている。そして、例えば加湿モードＨＭ１にて調湿装置１が運転されている場合、調湿部３０が通電状態であるため、調湿部３０の温度が上昇することにより、調湿部３０を流通する空気の温度も上昇する。説明を簡単にするため、この上昇した空気の温度を２５℃（室温Ｔｒ＋１０℃）とする。そして、熱交換部５０がこの空気に含まれる熱を吸収して蓄えるため、熱交換部５０の温度が図３５に実線の矢印にて示すように上昇する。ここで例えば、上昇した熱交換部５０の温度が、上昇した空気の温度と同一の２５℃となる時間に所定動作時間Ｔｓを設定した場合、熱交換部５０の温度と熱交換部５０を流通する温度との差が小さくなるため、空気に含まれる熱が熱交換部５０に吸収されにくくなる。よって、この場合、室温Ｔｒに対する熱交換部５０から第二空間Ｓ２に導出される空気の上昇温度が比較的高くなる。なお、熱交換部５０の温度は、加湿準備モードＨＭ２にて、室温Ｔｒまで冷却される（図３５に破線の矢印にて示す）。
【０１１３】
また、例えば、春季や秋季において室温Ｔｒが２０℃である場合、調湿装置１が作動していない状態においては、熱交換部５０の温度においても室温Ｔｒと同じ２０℃になっている。上述した冬季の場合と同様に、加湿モードＨＭ１にて調湿装置１が運転されている場合、調湿部３０を流通する空気の温度も上昇する。調湿部３０を流通する空気の温度は、室温Ｔｒに関係なく上昇する。よって、上述した冬季の場合と同様に、この上昇した空気の温度を３０℃（室温Ｔｒ＋１０℃）とする。そして、熱交換部５０がこの空気に含まれる熱を吸収して蓄えるため、熱交換部５０の温度が図３６に実線の矢印にて示すように上昇する。ここで、第二融解温度ＭＰ２が２６℃に設定されているため、潜熱蓄熱材５１ａが相変化して固体と液体が混在した状態になる。この状態においては、熱は吸収するが、熱交換部５０の温度が上昇しない。よって、熱交換部５０の温度と熱交換部５０を流通する温度との差が冬季の場合と比べて大きくなるため、空気に含まれる熱が冬季の場合と比べて熱交換部５０に吸収され易い。したがって、この場合、室温Ｔｒに対する熱交換部５０から第二空間Ｓ２に導出される空気の上昇温度は、冬季の場合と比べて小さくなる。なお、熱交換部５０の温度は、加湿準備モードＨＭ２にて、室温Ｔｒまで冷却される（図３６に破線の矢印にて示す）。
【０１１４】
さらに、例えば、夏季において室温Ｔｒが２５℃である場合、調湿装置１が作動していない状態においては、熱交換部５０の温度においても室温Ｔｒと同じ２５℃になっている。上述した冬季の場合と同様に、加湿モードＨＭ１にて調湿装置１が運転されている場合、調湿部３０を流通する空気の温度も上昇する。調湿部３０を流通する空気の温度は、室温に関係なく上昇する。よって、上述した冬季の場合と比較し易くするため、この上昇した空気の温度を３５℃（室温Ｔｒ＋１０℃）とする。そして、熱交換部５０がこの空気に含まれる熱を吸収して蓄えるため、熱交換部５０の温度が図３７に実線の矢印にて示すように上昇する。ここで、第二融解温度ＭＰ２が２６℃に設定されているため、潜熱蓄熱材５１ａが固体と液体が混在した状態に相変化する。この状態においては、熱は吸収するが、熱交換部５０の温度が上昇しない。よって、熱交換部５０温度と熱交換部５０を流通する温度との差が春季および秋季の場合と比べて大きくなるため、空気に含まれる熱が春季および秋季の場合と比べて熱交換部５０に吸収され易い。したがって、この場合、室温Ｔｒに対して熱交換部５０から第二空間Ｓ２に導出される空気の上昇温度が春季および秋季の場合と比べて小さくなる。なお、熱交換部５０の温度は、加湿準備モードＨＭ２にて、室温Ｔｒまで冷却される（図３７に破線の矢印にて示す）。
【０１１５】
このように、融解点を第一融解温度ＭＰ１より室温Ｔｒに近い第二融解温度ＭＰ２に設定することにより、第二空間Ｓ２に導出される空気の温度と室温Ｔｒとの差は、室温Ｔｒが低いほど大きくなる。すなわち、冬季の場合、夏季の場合と比べて、第二空間Ｓ２に導出される空気の温度が室温Ｔｒに対して高くなる。一方、夏季の場合、冬季の場合と比べて、第二空間Ｓ２に導出される空気の温度が室温Ｔｒに近くなる。これにより、調湿装置１は、例えば、冬季において局所的な暖房を行うことができる。このように、融解点を調整することにより、調湿装置１は、第二空間Ｓ２に導出される空気の温度を使用者Ａが快適感を得られる温度に調整することができる。
【０１１６】
次に、上述した第一実施形態乃至第七実施形態の第五変形例について、主として第一実施形態と異なる点について説明する。第一実施形態の調湿装置１は、ベッドＢに配設されているが、これに代えて、図３８に示すように、車両Ｃの車両用シートＳｅに配設するようにしても良い。この場合、車両用シートＳｅに着座している使用者Ａの頭部の周囲の空間が第二空間Ｓ２に相当する。また、調湿装置１が他の部材に配設されずに、使用者Ａが調湿装置１を手に持って使用するようにしても良い。
【０１１７】
なお、上述した各実施形態および各変形例において、調湿装置１の一例を示したが、本発明はこれに限定されず、他の構成を採用することもできる。例えば、上述した各実施形態および各変形例において、調湿部３０は、図３に示すように複数のフィルム３１をそれぞれ所定距離離れて並べることにより形成されているが、これに代えて、図３９に示すように、一枚のフィルム１２３１を蛇腹状に折り曲げることにより調湿部３０を形成するようにしても良い。また、図４０に示すように、一枚のフィルム１３３１を巻くことにより調湿部３０を形成するようにしても良い。この場合、電線４１をフィルム１２３１，１３３１の一端および他端それぞれに電気的に接続する。
【０１１８】
また、上述した各実施形態および各変形例において、フィルム３１は、複数の凸形状３１ａを有するように形成されているが、これに代えて、図４１に示すように、フィルム３１を形成する不織布を毛羽立たせた毛羽立て部３１ｂを形成するようにしても良い。また、図４２に示すように、例えばゼオライトの粒３１ｃをフィルム３１表面に付着させるようにしても良い。また、さらに、フィルム３１を、凸形状３１ａを有さない平面状にしても良い。
【０１１９】
また、上述した各実施形態の第三変形例において、芳香成分等は成分放出部に含まれているが、これに代えて、芳香成分等を調湿部３０のフィルム３１に含ませるようにしても良い。
また、上述した各実施形態および各変形例において、調湿装置１は、一基のみによって運転されているが、これに代えて、調湿装置１を二基用いるとともに、一方の調湿装置１が加湿モードＨＭ１を運転しているときに、他方の調湿装置１が加湿準備モードＨＭ２を運転させるようにする。これにより、第二空間Ｓ２を常に加湿するようにすることができる。
また、上述した各実施形態において、調湿装置１は、熱交換部５０を備えているが、これに代えて、熱交換部５０を備えないようにしても良い。
【０１２０】
上述した各実施形態の第四変形例において、温度調節部は、調湿部３０への通電時間を調整することにより、調湿部３０の温度を所定温度にしている。これに対し、例えば、調湿装置１が通電量を調整可能とする電力調整器（図示なし）をさらに備え、温度調節部が電力調整器を調整することにより調湿部３０への通電量を増加させるようにしても良い。
【０１２１】
また、上述した第一実施形態乃至第七実施形態およびその各変形例において、熱交換部５０は、潜熱蓄熱材５１ａを用いて形成されているが、これに代えて、例えば金属繊維を用いて形成するようにしても良い。また、複数の金属パイプを用いて形成するようにしても良い。
また、上述した第三実施形態乃至第五実施形態において、上述した第二実施形態における入力部１９１をさらに備えるようにしても良い。この場合、入力部１９１に入力された情報は、各実施形態における目標湿度設定部２８３，３８３，４８３に送信されるようにする。
また、上述した第六実施形態乃至第八実施形態において、上述した第二実施形態における入力部１９１、目標湿度設定部１８３、第一水分量調整部１８１ａおよび第二水分量調整部１８２ａをさらに備えるようにしても良い。
【０１２２】
また、上述した各実施形態の第五変形例において、第一水分量調整部１８１ａは、送風装置２０の駆動量によって流路Ｌに導入された空気の湿度を調整しているが、これに代えて、調湿部３０の通電量を変更することにより、流路Ｌに導入された空気の湿度を調整するようにしても良い。この場合、通電部４０は、上述した場合と同様に、通電量を調整可能とする電力調整器（図示なし）をさらに備えるようにする。そして、第一水分量調整部１８１ａは、目標湿度が第一湿度Ｈ１である場合、目標湿度が第一湿度Ｈ１より低い第二湿度Ｈ２である場合に比べて調湿部３０への通電量を増加させるように電力調整器を調整する。また、第一水分量調整部１８１ａは、送風装置２０の駆動量および調湿部３０の通電量を変更することにより、流路Ｌに導入された空気の湿度を調整するようにしても良い。
これによれば、加湿制御部８１は、第二空間Ｓ２に導出される加湿をされた空気の湿度を、目標湿度設定部１８３によって設定された目標湿度とするように、送風装置２０の駆動量および調湿部３０の通電量の少なくとも何れか一方を調整することによって、流路Ｌに導入された空気の量に対する流路Ｌに導入された空気に放出される水分の量を調節する第一水分量調整部１８１ａを備えている。
【０１２３】
さらに、調湿装置１は、送風装置２０の駆動量および調湿部３０の通電量を変更することにより、第二空間Ｓ２に導出される空気の温度を調整するようにしても良い。この場合、例えば、上述した第三実施形態において、使用者Ａが入眠状態である場合、第二空間Ｓ２に導出される空気の温度を室温Ｔｒに近づけるようにする。これにより、使用者Ａがより入眠し易くなる。また、使用者Ａが睡眠状態から覚醒状態に移行する状態である場合、第二空間Ｓ２に導出される空気の温度を、使用者Ａが入眠状態である場合に比べて高くなるように設定する。これにより使用者Ａより覚醒し易くなる。
【０１２４】
また、上述した第五実施形態において、呼吸情報検出部４９４は呼吸情報として使用者Ａの咳を検出している。これに対し、呼吸情報として使用者Ａの口呼吸を検出するようにしても良い。口呼吸は、口を介して息を吸ったり吐いたりする呼吸である。この場合、呼吸情報検出部４９４は、例えばカメラを用いて使用者Ａの顔を撮影し、この撮影された使用者Ａの顔の画像を解析することにより使用者Ａの口が開いているか否かを判定する。そして、呼吸情報検出部４９４によって使用者Ａの口が開いていることが検出された場合、目標湿度設定部４８３が目標湿度を例えば第二湿度Ｈ２より高い第一湿度Ｈ１に設定する。これにより、使用者Ａの口の中の乾燥を抑制することができる。
【０１２５】
また、上述した第二実施形態において、入力部１９１は、使用者Ａの操作によって目標湿度が入力されているが、これに代えて、例えば、ベッドＢを設置された部屋にエアコン等の空調装置または湿度センサ（いずれも図示なし）がさらに設置され、空調装置または湿度センサと調湿装置１とが通信可能である場合において、空調装置または湿度センサから送信される信号に基づいて、目標湿度が設定されるようにしても良い。
【０１２６】
また、上述した第三実施形態において、睡眠情報検出部２９２は、使用者Ａの体動によって使用者Ａの睡眠状態を検知しているが、これに代えて、使用者Ａの睡眠状態を、使用者Ａの心拍または呼吸から検知するようにしても良い。心拍または呼吸は、荷重センサ２９２ａの検出結果をフィルタリングすることにより検出することができる。
また、上述した第四実施形態において、肌情報センサ３９３ａは、一対の電極を使用者Ａの肌に接触させて、生体電気インピーダンス測定しているが、これに代えて、カメラ等によって使用者Ａの肌を撮影して、その画像をフィルタリングすることにより、肌情報を使用者Ａの肌と非接触にて検出するようにしても良い。
【０１２７】
また、上述した第五実施形態において、呼吸情報検出部４９４によって検出される呼吸情報は、使用者Ａの咳であるが、これに代えて、呼吸情報として、使用者Ａのいびきを検出するようにしても良い。この場合、呼吸周期判定値または呼吸振幅判定値を、上述した使用者Ａの咳を検出する場合と変更すると良い。
また、上述した第三実施形態および第五実施形態において、体動および咳を荷重センサ２９２ａ，４９４ａによって検出しているが、これに代えて、マイク等の使用者Ａの体動および咳によって生じる音を検出する音検出装置（図示なし）を用いるようにしても良い。例えば、音検出装置によって検出される音量が音量判定値以上である場合、使用者Ａの体動または咳が検知される。
また、上述した第七実施形態において、頭部位置検出部６９６ａは、カメラ６９６ａ１を用いて使用者Ａの頭部の位置を検出しているが、これに代えて、荷重センサを用いて使用者Ａの頭部の位置を検出するようにしても良い。
【０１２８】
また、上述した第一実施形態乃至第七実施形態において、調湿装置１は、ヘッドボード部Ｂ３に形成された貫通穴Ｂ３ａを介して第二空間Ｓ２に調湿した空気を導出している。これに代えて、図４３に示すように、ケース１０に第二連通部１２から導出された空気を第二空間Ｓ２に導出するダクト１４１５を形成し、ダクト１４１５をヘッドボード部Ｂ３の上面に配設しても良い。
また、上述した各実施形態において、フィルム３１と電線４１とが直接的に接続されているが、これに代えて、図４４に示すように、フィルム３１と電線４１とを、フィルム３１の両端に配設された電極３１ｄを介して接続するようにしても良い。電極３１ｄは、例えば金属平板によって形成され、フィルム３１の端部を挟持するように配設されている。
【０１２９】
また、本発明の要旨を逸脱しない範囲において、ケース１０、調湿部３０および熱交換部５０の形状、潜熱蓄熱材５１ａの融解点、連通部１１，１２，１３の位置および連通部１１，１２，１３の個数、調湿された空気を導出するタイミング、調湿装置１の取付場所および取付位置を変更しても良い。
【符号の説明】
【０１３０】
１…調湿装置、１０…ケース、１１…第一連通部、１２…第二連通部、１３…第三連通部、２０…送風装置（送風部）、３０…調湿部、３１…フィルム、３１ａ…凸形状、４０…通電部、４１…電線、４２…電源、４３…開閉器、５０…熱交換部、５１…シート、５１ａ…潜熱蓄熱材、６０…第一遮断装置（第一遮断部）、７０…第二遮断装置（第二遮断部）、８０…制御装置（制御部）、８１…加湿制御部、８２…除湿制御部、１８１ａ…第一水分量調整部、１８２ａ…第二水分量調整部、１８３…目標湿度設定部、２９２…睡眠情報検出部、３９３…肌情報検出部、４９４…呼吸情報検出部、５８１ｂ…導出タイミング制御部、５９５…呼吸状態検出部、６９６ａ…頭部位置検出部、６９６ｂ…導出方向制御部、６９６ｃ…導出方向調整部、Ａ…使用者、Ｂ…ベッド、Ｃ…車両、ＤＭ１…除湿モード、ＤＭ２…除湿準備モード、Ｇ…ゴーグル（被覆部）、ＨＭ１…加湿モード、ＨＭ２…加湿準備モード、Ｌ…流路、Ｓ１…第一空間、Ｓ２…第二空間、Ｓ３…第三空間、Ｔｓ…所定動作時間。
【図１】
0006507759.tif 000002
【図２】
0006507759.tif 000003
【図３】
0006507759.tif 000004
【図４】
0006507759.tif 000005
【図５】
0006507759.tif 000006
【図６】
0006507759.tif 000007
【図７】
0006507759.tif 000008
【図８】
0006507759.tif 000009
【図９】
0006507759.tif 000010
【図１０】
0006507759.tif 000011
【図１１】
0006507759.tif 000012
【図１２】
0006507759.tif 000013
【図１３】
0006507759.tif 000014
【図１４】
0006507759.tif 000015
【図１５】
0006507759.tif 000016
【図１６】
0006507759.tif 000017
【図１７】
0006507759.tif 000018
【図１８】
0006507759.tif 000019
【図１９】
0006507759.tif 000020
【図２０】
0006507759.tif 000021
【図２１】
0006507759.tif 000022
【図２２】
0006507759.tif 000023
【図２３】
0006507759.tif 000024
【図２４】
0006507759.tif 000025
【図２５】
0006507759.tif 000026
【図２６】
0006507759.tif 000027
【図２７】
0006507759.tif 000028
【図２８】
0006507759.tif 000029
【図２９】
0006507759.tif 000030
【図３０】
0006507759.tif 000031
【図３１】
0006507759.tif 000032
【図３２】
0006507759.tif 000033
【図３３】
0006507759.tif 000034
【図３４】
0006507759.tif 000035
【図３５】
0006507759.tif 000036
【図３６】
0006507759.tif 000037
【図３７】
0006507759.tif 000038
【図３８】
0006507759.tif 000039
【図３９】
0006507759.tif 000040
【図４０】
0006507759.tif 000041
【図４１】
0006507759.tif 000042
【図４２】
0006507759.tif 000043
【図４３】
0006507759.tif 000044
【図４４】
0006507759.tif 000045